(57)【要約】【課題】リールを設置体に配置するだけで各リール間の隙間が隠蔽される可変表示装置を備えるスロットマシンを提供すること。【解決手段】可変表示装置５０は、複数種の識別情報が外周面に配置されたリール５１Ｌ、５１Ｃ、５１Ｒと、該リールの一側方に配置され、リール５１Ｌ、５１Ｃ、５１Ｒを回動自在とする駆動モータが固設されるとともに、隣接配置されるリール５１Ｌ、５１Ｃ、５１Ｒ間に形成される隙間を介して内部が見えないように隠蔽するリール間隠蔽部５３が一体成型された支持板と、リール５１Ｌ、５１Ｃ、５１Ｒ及び前記支持板からなる複数のリール体を並列配置するための設置体５２と、から構成され、設置体５２には全て同一構造とされた複数個の前記リール体が並列配置されている。【選択図】　　図１２
2004135710.tif 000002
【特許請求の範囲】
【請求項１】
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンであって、
前記可変表示装置は、複数種の識別情報が外周面に配置されたリールと、
該リールの一側方に配置され、前記リールを回動自在とする駆動モータが固設されるとともに、隣接配置されるリール間に形成される隙間を介して内部が見えないように隠蔽するリール間隠蔽部が一体成型された支持板と、
前記リール及び前記支持板からなる複数のリール体を並列配置するための設置体と、から構成され、
前記設置体には、全て同一構造とされた複数個の前記リール体が並列配置されていることを特徴とするスロットマシン。
【請求項２】
前記支持板は、前記設置体への取付け及び該取付けの解除を工具等を用いることなく行うことが出来る取付手段により前記設置体に取り付けられている請求項１に記載のスロットマシン。
【請求項３】
前記支持板には、前記駆動モータを含む付帯装置が接続されている信号基板が配設されているとともに、
前記設置体には、前記付帯装置を制御する制御手段が設けられた制御基板と接続されている中継基板が配設されており、
前記リール体を前記設置体に組み付けることで前記信号基板と前記中継基板とが接続されるようになっている請求項１または２に記載のスロットマシン。
【請求項４】
前記リール間隠蔽部は、前記リールの内周面側に配置されている請求項１〜３のいずれかに記載のスロットマシン。
【請求項５】
前記リールを透視可能な透視窓が形成される遊技パネルが取り付けられる遊技パネルユニットを備え、
該遊技パネルユニットには、前記リール間隠蔽部との干渉を避けるための切欠部が形成されている請求項１〜４のいずれかに記載のスロットマシン。
【発明の詳細な説明】
【０００１】
【発明の属する技術分野】
本発明は、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンに係わり、特に、複数種の識別情報が周面に配置されるとともに、駆動手段の駆動により回動するリールからなる可変表示装置を備えるスロットマシンに関する。
【０００２】
【従来の技術】
従来、この種のスロットマシンにあっては、複数のリールはリール収容箱体内に横方向に並設配置されるのが一般的である。これら各リールはそれぞれ独立して回転駆動するために各リール間に隙間が形成されるため、特に本体の前面に設けられる透視窓が各リールごとに仕切られずに１つの透視窓として構成されているものにあっては、リール間の隙間から内部が見えてしまい外観体裁が悪くなる等の理由から、各リール間を隠蔽する隠蔽部材等を設けたものがある（例えば、特許文献１参照）。
【０００３】
【特許文献１】
特開平１１−１１４１３０号公報（第３−４頁、第２−５図）
【０００４】
【発明が解決しようとする課題】
しかしながら、上記特許文献１に記載された可変表示装置（リールユニット）は、各リールを回転駆動させるモータが取り付けられるモータ取付板の前端に設けられるリール間隠蔽部材（中間カバー７）が、モータ取付板とは別体で設けられているため、例えばモータ取付板の前端に形成されるリール間隠蔽部材の取付部の成型精度や取付け状態等が悪いと、取り付けられたリール間隠蔽部材とリールとの間に隙間が生じることがあった。
【０００５】
この場合、リールの端面が遊技者の目に触れやすくなり、リールの回転によるぶれ等が目立ちやすく、遊技者によってはリールへの注視の妨げになることがあるばかりか、製造コストがかかるとともに、モータ取付板へ組み付ける必要があり、手間がかかるといった問題があった。
【０００６】
本発明は、このような問題点に着目してなされたもので、リールを設置体に配置するだけで各リール間の隙間が隠蔽される可変表示装置を備えるスロットマシンを提供することを目的とする。
【０００７】
【課題を解決するための手段】
上記課題を解決するために、本発明のスロットマシンは、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンであって、
前記可変表示装置は、複数種の識別情報が外周面に配置されたリールと、
該リールの一側方に配置され、前記リールを回動自在とする駆動モータが固設されるとともに、隣接配置されるリール間に形成される隙間を介して内部が見えないように隠蔽するリール間隠蔽部が一体成型された支持板と、
前記リール及び前記支持板からなる複数のリール体を並列配置するための設置体と、から構成され、
前記設置体には、全て同一構造とされた複数個の前記リール体が並列配置されていることを特徴としている。
この特徴によれば、リール間隠蔽部が支持板に予め一体成型されていることで、リール間隠蔽部を別部材により新たに設けなくて済むため、製造コストの低減化を図ることが出来るとともに、リール体は全て同一構造とされているため、複数のリール体を並設する場合でも製造コストが嵩むことがないばかりか、配置作業に手間がかかることがない。
【０００８】
本発明のスロットマシンの前記支持板は、前記設置体への取付け及び該取付けの解除を工具等を用いることなく行うことが出来る取付手段により前記設置体に取り付けられていることが好ましい。
このようにすれば、支持板の設置体への着脱作業を、工具等を用いることなく手作業で簡単に行うことが出来る。
【０００９】
本発明のスロットマシンの前記支持板には、前記駆動モータを含む付帯装置が接続されている信号基板が配設されているとともに、
前記設置体には、前記付帯装置を制御する制御手段が設けられた制御基板と接続されている中継基板が配設されており、
前記リール体を前記設置体に組み付けることで前記信号基板と前記中継基板とが接続されるようになっていることが好ましい。
このようにすれば、リール体を前記設置体に組み付けることで付帯装置と制御基板とが接続されるので、付帯装置と制御基板との配線作業が容易になるため、リール体の設置や交換作業等が容易になる。
【００１０】
本発明のスロットマシンの前記リール間隠蔽部は、前記リールの内周面側に配置されていることが好ましい。
このようにすれば、リール幅を広げることが出来るため、識別情報の視認性を向上させることが出来るばかりか、リール体の並列配置をリール間隠蔽部に干渉されることなく行うことが出来る。
【００１１】
本発明のスロットマシンは、前記リールを透視可能な透視窓が形成される遊技パネルが取り付けられる遊技パネルユニットを備え、
該遊技パネルユニットには、前記リール間隠蔽部との干渉を避けるための切欠部が形成されていることが好ましい。
このようにすれば、リールを遊技パネルに極力近接配置することが出来るため、透視窓からのリールの視認性が効果的に向上される。
【発明の実施の態様】
以下、本発明の実施態様について図面を参照して説明する。
（１）スロットマシンの概略説明
まず、図１〜図５を参照してスロットマシンの概略構成について説明すると、図１はスロットマシン１を斜め前方から見た斜視図であり、図２は前面扉３を開放した状態のスロットマシン１を斜め前方から見た斜視図であり、図３はスロットマシン１の正面図であり、図４はスロットマシン１の筐体２内を示す正面図であり、図５はスロットマシン１の前面扉を示す背面図である。
【００１２】
本実施例におけるスロットマシン１は、前面が開口する筐体２と、この筺体２の側端に回動自在に枢支された前面扉３と、から構成されており、前面扉３の裏面に設けられた施錠装置４（図５参照）の鍵穴４ａに挿入した所定のキーを時計回り方向に回動操作することにより施錠が解除されて前面扉３を開放することができるようになっている。
【００１３】
（１―１）前面扉の前面
前面扉３の前面上端部には、遊技効果ＬＥＤ１３０（図３参照）が内蔵された遊技効果ＬＥＤ部４１が左右方向に延びるように設けられているとともに、左右側端部には、遊技効果ＬＥＤ１３１ａ〜１３１ｃ（図３参照）が内蔵された発光部としての遊技効果ＬＥＤ部４２Ｌ、及び遊技効果ＬＥＤ１３２ａ〜１３２ｃ（図３参照）が内蔵された発光部としての遊技効果ＬＥＤ部４２Ｒが、前面扉３の上部から下部にわたって一連に設けられている。これら遊技効果ＬＥＤ部４１、４２Ｌ、４２Ｒにより囲まれた前面扉３の前面には、役構成等が印刷された上部パネル５、各種表示部が形成された遊技パネル６、タイトル等が印刷された下部パネル７が各々設けられている。なお、下部パネル７の内部には表示面を後方から照らす蛍光灯１３９が内蔵されている。下部パネル７の下方には、メダル払出穴９から払出されるメダルを受け入れるメダル受皿１０が突設されている。なお、メダル受皿１０の左側には灰皿１３が設けられている。
【００１４】
遊技パネル６と下部パネル７の間には、操作部８が遊技パネル６よりも前方に膨出するように形成されており、この操作部８には、遊技媒体であるメダルを投入可能なメダル投入部３４や、各種操作ボタン３５、３６ａ、３６ｂ、３７、４０Ｌ、４０Ｃ、４０Ｒ、及びスタートレバー３８等が設けられている。
【００１５】
上部パネル５の左右側には、内部に設けられる高音スピーカ１３６Ｌ、１３６Ｒ（図５参照）から出力される音を放音する放音部１２Ｌ、１２Ｒがそれぞれ設けられているとともに、これら左右の放音部１２Ｌ、１２Ｒの間には、上部パネル５の後面に設けられる演出手段の一例である演出用リール９１Ｌ、９１Ｃ、９１Ｒを透視するための透明な演出用透視窓１１が印刷形成されている。
【００１６】
遊技パネル６には、筐体２に内設された後述するゲーム用リール５１Ｌ、５１Ｃ、５１Ｒを透視可能な透視窓１４と、各種表示部１６〜３３と、がそれぞれ印刷形成されている。
【００１７】
遊技パネル６に設けられた各種表示部のうち、クレジット表示部３１は、内蔵されたクレジット表示器１０９（図５参照）によりクレジットが表示される。クレジットとは、遊技者所有の有価価値としてスロットマシン１内部の記憶部に記憶されているメダル数である。このスロットマシン１では、クレジットとして記憶可能な価値の上限値が最大でメダル５０枚分とされており、この上限値を越えるクレジットの加算更新の要求が発生した場合にはその上限を越えるメダルがメダル払出穴９から払出される。クレジット表示器１０９は、横並び状態で設けられた３個の７セグメント表示器からなり、３桁の数値を表示可能であるため、前記クレジットの上限が前記１００枚以上となった場合にも対応出来るとともに、クレジットの表示として使用しない７セグメント表示器は演出のために使用することが出来るようになっている。
【００１８】
ゲーム回数表示部３２は、後述するビッグボーナス（以下ＢＢと略称する）中に提供されるビッグボーナスゲーム（以下ＢＢゲームと略称する）の残回数や、後述するレギュラーボーナス（以下ＲＢと略称する）の残回数等が内蔵されたゲーム回数表示器１０８（図５参照）により表示される。さらにゲーム回数表示部３２は、スロットマシン１に発生した各種の異常を表示する報知手段であるエラー表示器としても機能する。
【００１９】
ペイアウト表示部３３は、１ゲーム中に発生した入賞に基づいて遊技者に付与されるメダル枚数が入賞がある毎に、内蔵されたペイアウト表示器１１０（図５参照）により表示される。さらに、本実施例におけるスロットマシン１は、予め定められた入賞確率の値を例えば６つのパターンの設定値として記憶しており、前記ペイアウト表示部３３には、この設定値が前記ペイアウト表示器１１０により表示されるようになっている。
【００２０】
１〜３枚賭け表示部４６〜４８は、内蔵された１〜３枚賭けＬＥＤ１１１〜１１３（図５参照）が、遊技者がゲームに賭数を設定した場合にその賭数に応じて点灯する。
【００２１】
リプレイ表示部２７は、リプレイ入賞が発生した場合に、その内部に内蔵されたリプレイＬＥＤ１１４（図５参照）が点灯する。スタート表示部２８は、賭数が設定されることによりスタート操作をすることが可能となった場合に、その内部に内蔵されたスタートＬＥＤ１１５（図５参照）が点灯し、有効なスタート操作が検出されることにより消灯する。投入指示表示部３０は、メダルを受付可能な状態である場合に、その内部に内蔵された投入指示ＬＥＤ１１７（図５参照）が点滅し、メダルを受付不可能な状態である場合に消灯する。
【００２２】
ウェイト表示部２９は、ウェイトタイム中にスタート操作が検出された場合に、その内部に内蔵されたウェイトＬＥＤ１１６（図５参照）が点灯し、ウェイトタイムが経過した後に消灯する。ウェイトタイムは、ゲームがあまりに速く進行しすぎてしまうことを規制するために設定されたゲーム進行規制期間であり、このウェイトタイム中にスタート操作が検出されると、ウェイトタイムが経過した後にリールが始動するように設定されている。
【００２３】
演出用表示部１６〜２５のうち演出用表示部１７〜２０は、リプレイ表示部２７、ウェイト表示部２９、スタート表示部２８、投入指示表示部３０と、演出用表示部２１〜２５は、１〜３枚賭け表示部４６〜４８と、各々同様に機能する表示部であり、これら各表示部に内蔵されたＬＥＤ１１１〜１１７の点灯／消灯に応じて、各々対応する演出用表示部１７〜２５に内蔵された演出用ランプ１４１〜１４９（図５参照）が点灯／消灯する。また、演出用表示部１６は、ビッグボーナス入賞やレギュラーボーナス入賞の発生が許容されている場合に、その内部に内蔵された演出用ランプ１４０（図５参照）が点灯するようになっており、ボーナス告知表示部として機能する。
【００２４】
操作部８の上面右側には、メダル投入口３４ａが形成されたメダル投入部３４が設けられているとともに、上面左側には精算ボタン３７、１枚ＢＥＴボタン３６ａ、ＭＡＸＢＥＴボタン３６ｂがそれぞれ設けられている。
【００２５】
１枚ＢＥＴボタン３６ａは、クレジットを使用してメダルを１枚分賭ける際に押圧するボタンであり、ＭＡＸＢＥＴボタン３６ｂは、１ゲームにおいて許容される賭数の最大数（本実施例ではメダル３枚分）をクレジットの範囲内で賭ける際に押圧するボタンである。１枚ＢＥＴボタン３６ａの表面には、該当する賭数である「１」の数字が刻設されているとともに、ＭＡＸＢＥＴボタン３６ｂの内部には、ＭＡＸＢＥＴボタンＬＥＤ１２１が内蔵されており（図５参照）、これらのＭＡＸＢＥＴボタンＬＥＤ１２１は、ＭＡＸＢＥＴボタン３６ｂの操作により賭数を設定可能な状態にある場合に点灯し、賭数を設定不可能な状態の場合に消灯する。なお、１枚ＢＥＴボタン３６ａの操作は内蔵された１枚ＢＥＴスイッチ１００に、また、ＭＡＸＢＥＴボタン３６ｂの操作は内蔵されたＭＡＸＢＥＴスイッチ１０１（図５参照）にて検出される。
【００２６】
精算ボタン３７は、記憶部に記憶されているクレジットの精算操作をする際に押圧するボタンであり、この精算ボタン３７の押圧操作は、内蔵された精算スイッチ１０４（図５参照）にて検出され、クレジットとして記憶されている枚数のメダルがメダル払出穴９から払出されるようになっている。
【００２７】
操作部８の前面には、スタートレバー３８、ストップボタン４０Ｌ、４０Ｃ、４０Ｒ、メダル詰まり解除ボタン３５がそれぞれ設けられている。スタートレバー３８は、ゲームを開始する際に操作するレバーであり、賭数の設定終了後においてスタートレバー３８を操作することにより、その操作が内蔵されたスタートスイッチ１０２（図５参照）にて検出されリールユニット５０の各リール５１Ｌ、５１Ｃ、５１Ｒの回転が開始される。
【００２８】
各ストップボタン４０Ｌ、４０Ｃ、４０Ｒは、ゲームが開始した後にリール５１Ｌ、５１Ｃ、５１Ｒの回転を停止させる際に操作するボタンであり、その操作は内蔵されたストップスイッチ１０３Ｌ、１０３Ｃ、１０３Ｒ（図５参照）にて検出されるようになっている。また、ストップボタン４０Ｌ、４０Ｃ、４０Ｒの内部には操作有効ＬＥＤ１２２Ｌ、１２２Ｃ、１２２Ｒが、それぞれ内蔵されており（図５参照）、これら操作有効ＬＥＤ１２２Ｌ、１２２Ｃ、１２２Ｒは、対応するストップボタン４０Ｌ、４０Ｃ、４０Ｒの操作が有効である場合に点灯し、操作が無効である場合に消灯する。
【００２９】
メダル詰まり解除ボタン３５は、メダル投入部３４に投入されたメダルが内部で詰まった場合に、これを解消させる際に操作するボタンである。
【００３０】
（１―２）筐体の内部
次に、筐体２内上部には、図２及び図４に示されるように、後述する遊技制御基板５００が収容された遊技制御基板ボックス３５０が、背板１５３に取り付けられた基板取付部材３５１（図１１参照）に取り付けられている。さらにその側方には、遊技制御基板５００から出力される試験信号を外部に出力するための外部出力基板５０５が取り付けられている。
【００３１】
筐体２内略中央部には、複数種の図柄が印刷された透光性を有する帯状のリールシートが外周に巻回されたリール５１Ｌ、５１Ｃ、５１Ｒを有する可変表示装置としてのリールユニット５０が設けられている。それぞれのリール５１Ｌ、５１Ｃ、５１Ｒは、各々に対応して設けられたリールモータ５４Ｌ、５４Ｃ、５４Ｒによりそれぞれ独立して縦方向に回転（駆動）、停止するように構成されており、各リール５１Ｌ、５１Ｃ、５１Ｒが回転することにより、透視窓１４には前記各種図柄が連続的に変化しつつ表示されるようになっている。
【００３２】
透視窓１４から視認できる各リールの領域を、各リールに対応させて左可変表示部、中可変表示部、右可変表示部（領域）と呼ぶ。この各可変表示部からは、各リールに描かれた複数の図柄のうち、連続する３つの図柄が上段、中段、下段の位置に表示される。
【００３３】
各リール５１Ｌ、５１Ｃ、５１Ｒには、それぞれのリールの回転基準位置を検出するリールセンサ５６Ｌ、５６Ｃ、５６Ｒが備えられており、このリールセンサ５６Ｌ、５６Ｃ、５６Ｒにより所定の図柄の停止位置を導出できるようになっているとともに、各リール５１Ｌ、５１Ｃ、５１Ｒにおける特定の表示領域（上、中、下段の表示領域）を裏面から個別に照射可能な複数のリールランプ５５Ｌａ〜５５Ｌｃ、５５Ｃａ〜５５Ｃｃ、５５Ｒａ〜５５Ｒｃがそれぞれ上、中、下段に設けられており、これら各リールランプ５５Ｌａ〜５５Ｌｃ、５５Ｃａ〜５５Ｃｃ、５５Ｒａ〜５５Ｒｃは、透視窓１４に表示される各図柄を後方から点灯するバックライトとして機能するようになっている。
【００３４】
また、リールユニット５０の背面には、各リールモータ５４Ｌ、５４Ｃ、５４Ｒ、リールセンサ５６Ｌ、５６Ｃ、５６Ｒの配線を遊技制御基板５００に接続するためのリール中継基板５０３が設けられているとともに、リールユニット５０の上面には、リールランプ５５Ｌａ〜５５Ｌｃ、５５Ｃａ〜５５Ｃｃ、５５Ｒａ〜５５Ｒｃからの配線が接続されるリールランプ中継基板５０４が設けられている。
【００３５】
リールユニット５０の下方には、メダル投入部３４から投入されたメダルを貯留するホッパータンク５７ａを有するホッパーユニット５７が設けられている。また、ホッパーユニット５７の右側にはホッパータンク５７ａからオーバーフローしたメダルが貯留されるオーバーフロータンク５９が設けられている。このオーバーフロータンク５９内にはメダルを検出可能なフルセンサ６０ａ、６０ｂが設けられており、内部に貯留されたメダル貯留量が所定量以上となったことを検出できるようになっている。
【００３６】
ホッパーユニット５７の下方部分にはホッパーモータ６２が設けられており、このホッパーモータ６２が回転することによりホッパータンク５７ａ内のメダルがメダル排出口６３から排出される。排出されたメダルは、メダル排出口６３の近傍に設けられる払出しメダルセンサ６１により検出された後、後述するメダル返却通路部材７３（図５参照）に形成されたメダル合流口７４（図５参照）を通して内部に流入し、メダル払出穴９から払い出される。
【００３７】
ホッパーユニット５７の側方には、メイン電源をｏｎ／ｏｆｆするメインスイッチ部６６と、エラーが生じた場合等において再びゲームを続行可能な状態にリセットする操作、及び入賞確率を変更可能とする操作を可能な設定／リセットボタン６７と、自動精算機能をｏｎ／ｏｆｆする自動精算選択スイッチ部６８と、自動打止め機能をｏｎ／ｏｆｆする打止め選択スイッチ部６９と、遊技場の管理者等が所持する特定のキーを挿入可能な設定キー挿入部７０と、が前面に設けられるとともに、電源基板５０２が内蔵された電源ユニット６５が配設されている。
【００３８】
本実施例では、設定キー挿入部７０のｏｎ／ｏｆｆ状態に関わらず、電源投入を行うことにより、その時点での自動精算選択スイッチ部６８及び打止め選択スイッチ部６９の状態にて設定されるとともに、設定／リセットボタン６７がリセットボタンとして機能することになる。また、縦長長方形状の設定キー挿入部７０が鉛直方向に対して左斜め４５度のｏｆｆの状態で特定のキーを挿入してから時計回りに９０度回転した状態、すなわちｏｎの状態で電源投入を行う操作により、設定キースイッチ（図示略）のｏｎが検出され、遊技状態の初期化、すなわち、遊技制御基板５００内に設けられたＲＡＭ（図示略）の記憶内容の初期化が実行されるとともに、設定／リセットボタン６７がリセットボタンとして機能することになり、この設定／リセットボタン６７の操作により入賞確率、すなわち出玉率の変更が実行可能となる。
【００３９】
設定キー挿入部７０は、ｏｆｆの状態において、垂直方向に対して左斜め４５度に傾斜した状態をなし、ｏｎの状態において、垂直方向に対して右斜め４５度に傾斜した状態となるように設けられているため、設定キーによる回動操作が行いやすいとともに、遊技状態のリセット及び入賞確率の設定それぞれの機能を１つのボタン操作にて行うことが出来るようにしたことで、操作性が向上する。
【００４０】
（１―３）前面扉の後面
次に、前面扉３の後面上部には、図５に示されるように、演出用ユニット９０が取り付けられている。演出用ユニット９０は、主に前方に開口する直方体状の演出用リール収容箱内に内蔵される演出用リール９１Ｌ、９１Ｃ、９１Ｒと、前記演出用リール収容箱の後面側（図５中手前側）に取り付けられる演出制御基板５０１と、から構成されている。演出用リール９１Ｌ、９１Ｃ、９１Ｒ内には、演出用リールセンサ１２７Ｌ、１２７Ｃ、１２７Ｒと、演出用リールＬＥＤ１２８Ｌ、１２８Ｃ、１２８Ｒと、演出用リールモータ１２９Ｌ、１２９Ｃ、１２９Ｒと、が内蔵されている。
【００４１】
また、演出用ユニット９０の左右側には、高音スピーカ１３６Ｌ、１３６Ｒが放音部１２Ｌ、１２Ｒに臨むように取り付けられている。高音スピーカ１３６Ｌの後面側には、リールランプ５５Ｌ、５５Ｃ、５５Ｒ及び各演出用ランプ１４０〜１４９が接続される演出用中継基板５０９が取り付けられている。また、スピーカ１３６Ｒの後方には、後述する遊技パネルユニット９５に組み付けられる冷陰極管１３８ａ〜１３８ｃ用の冷陰極管用インバータ１２４が取り付けられている。冷陰極管用インバータ１２４は、直方形状をなし、前面扉３の後面に対して縦向きに取り付けられている。
【００４２】
前面扉３の後面中央部には、遊技パネル６及び各種演出用装置が組み付けられる遊技パネルユニット９５が組み付けられている。遊技パネルユニット９５の前面側には、遊技パネル６及びリール５１Ｌ、５１Ｃ、５１Ｒを上方から照らす発光色の異なる３本の冷陰極管１３８ａ〜１３８ｃが取り付けられている。
【００４３】
また、遊技パネルユニット９５の後面側には、演出用ランプ１４０〜１４４が搭載される演出用ランプ基板５４１と、演出用ランプ１４５〜１４９が搭載される演出用ランプ基板５４２と、各種表示器１０８〜１１０、１２０、各種ＬＥＤ１１１〜１１７が搭載される表示基板５４３と、演出用ランプ基板５４１、５４２を演出制御基板５０１に接続するための演出用ランプ中継基板５０８と、が取り付けられている。なお、図５中の符号１２０は設定値表示器を示しており、この設定値表示器１２０が前面扉３の後面側に向けて取り付けられていることによって、電源ユニット６５にて設定値の設定操作を行う際において、開放した前面扉３の前面のペイアウト表示部３３を覗き込むことなく、設定値表示器１２０にて設定値を確認することが出来るため、操作性が向上する。
【００４４】
遊技パネルユニット９５の下方には、メダル投入部３４から投入された正規なメダルのみを後述するホッパータンク５７ａに導く投入メダルセレクタ７１が設けられている。直径や厚みの異なる不正メダルは、この投入メダルセレクタにより振り分けられて、メダル返却通路部材７３を介してメダル払出穴９から返却される。
【００４５】
投入メダルセレクタ７１の下流側には、流下するメダル流路を選択的に切替可能とする流路切替ソレノイド１０７が設けられている。通常時において流路切替ソレノイド１０７は励磁されており、この状態において流下するメダルは投入メダルセンサ１０６ａ〜１０６ｃにより検出された後、メダル誘導樋７２を流下してホッパータンク５７ａ内に貯留されるようになっている。また、メダル投入が不可能な場合には、流路切替ソレノイド１０７の励磁が解除されて流路が切替わって、メダル返却通路部材７３を介してメダル払出穴９から返却される。
【００４６】
また、投入メダルセレクタ７１の側方には、操作部８に設けられる各種操作部からの配線をまとめた状態で遊技制御基板５００に接続するための操作部中継基板５０７が、合成樹脂材により構成された操作部中継基板ケース内に被覆された状態で設けられている。さらにこの操作部中継基板５０７の下方には、前面に設けられる蛍光灯１３９用の蛍光灯用インバータ１２５が取り付けられている。
【００４７】
さらに、メダル返却通路部材７３を挟んで蛍光灯用インバータ１２５の反対側には、スピーカ取付用のスピーカ取付穴７５が横向き楕円形状のリブ周りに４個設けられており、スピーカを取り付けることが出来るようになっている。
【００４８】
（１―４）遊技状態の説明
次に、遊技者が遊技（ゲーム）を行うための操作や、該操作に伴う各種装置の作動状況を説明する。
【００４９】
ゲームを開始する場合は、メダルやクレジットを使用して所望の大きさの有価価値を賭けて所望の大きさの賭数を設定する。賭数は、メダルをメダル投入部３４から投入するか、あるいはクレジットを使用することにより設定できるようになっている。クレジットを使用するにはＭＡＸＢＥＴボタン３６ｂ、または１枚ＢＥＴボタン３６ａを押圧すれば良い。
【００５０】
遊技者により賭数が「１」に設定されると入賞ラインＬ１が有効となり、賭数が「２」に設定されると入賞ラインＬ１、Ｌ２、Ｌ２’が有効となり、賭数が「３」に設定されると入賞ラインＬ１、Ｌ２、Ｌ２’、Ｌ３、Ｌ３’が有効となる。
【００５１】
そして少なくとも「１」の賭数が設定された時点でスタートレバー３８の操作が有効に受付けられる状態、すなわち、ゲームが開始可能な状態となる。
【００５２】
尚、このような賭数に応じて有効化される入賞ラインの本数、及び形状等は任意に変更可能であり、本実施例の形態に限定されるものではない。また、賭数に応じて有効化される入賞ラインの本数も任意に設定変更可能である。
【００５３】
ゲームが開始可能な状態でスタートレバー３８を押圧操作すれば、各リール５１Ｌ、５１Ｃ、５１Ｒが回転し、透視窓１４には複数種類の図柄が連続的に変化するように表示される。各リール５１Ｌ、５１Ｃ、５１Ｒの回転が開始されてから所定時間が経過すれば各ストップボタン４０Ｌ、４０Ｃ、４０Ｒの操作が有効になり、この状態で遊技者がいずれかのストップボタン４０Ｌ、４０Ｃ、４０Ｒを押圧操作すれば、対応するリールの回転が停止され、透視窓１４からは対応する可変表示部の上、中、下段に図柄が表示される。
【００５４】
また、遊技者がストップボタン４０Ｌ、４０Ｃ、４０Ｒを押圧操作しない場合には、一定時間が経過した時点で自動的に各リール５１Ｌ、５１Ｃ、５１Ｒの回転が順次停止する。
【００５５】
そして全てのリール５１Ｌ、５１Ｃ、５１Ｒが停止された時点で、賭数に応じて有効化されたいずれかの入賞ラインＬ１、Ｌ２、Ｌ２’、Ｌ３、Ｌ３’上に予め定められた図柄の組合せが表示された場合は入賞となり、入賞内容に対応して予め定められた所定枚数のメダルが遊技者に対してクレジットとして払出される。また、クレジットが上限数に達した場合には、メダルが直接メダル払出穴９から払い出される。
【００５６】
また、特に予め定められた特別図柄の組合せが表示されて大当たり入賞した場合にあっては、メダルの払出しが行なわれるとともに、通常遊技状態とは異なるとともに、遊技者にとって有利な、すなわち大量のメダルを獲得できるビッグボーナス（ＢＢ）やレギュラーボーナス（ＲＢ）が遊技者に対して遊技価値として付与されるようになっている。
【００５７】
尚、このように入賞することにより遊技者に対して付与される「遊技価値」は、メダル及びクレジット等の有価価値に限らず、上記のように大当たり入賞した場合において遊技者に対して付与されるＢＢやＲＢ等、遊技に関連する特典全てを含む。
【００５８】
本実施例では、各リール５１Ｌ（左リール）、リール５１Ｃ（中リール）、リール５１Ｒ（右リール）の周面に、「白７」、「ＢＡＲ」、「スイカ」、「ベル」、「チェリー」、「プラム」の図柄（図３参照）が各リールに２１個配列されており、通常遊技状態において「白７−白７−白７」、「ＢＡＲ−ＢＡＲ−ＢＡＲ」、「チェリー−Ａｎｙ−Ａｎｙ」、「スイカ−スイカ−スイカ」、「ベル−ベル−ベル」、または「プラム−プラム−プラム」の組合せが入賞の対象とされており、そのうち白７の図柄、及びＢＡＲの図柄のみが遊技者にとって利益の大きな賞である大当り入賞（ＢＢ、ＲＢ）の対象となる特別図柄とされ、その他スイカ、チェリー、ベルまたはプラムの図柄は遊技者にとって利益の小さな賞である小役入賞の対象となる小役図柄とされている。
【００５９】
通常遊技状態において、「チェリー−Ａｎｙ−Ａｎｙ」、「スイカ−スイカ−スイカ」、「ベル−ベル−ベル」、の組合せが有効化された１つの入賞ライン上に揃った場合には、その図柄の組合せに応じて予め定められた所定枚数のメダルが遊技者に付与される。
【００６０】
具体的には、左リール５１Ｌに描かれた「チェリー」の図柄は単図柄と呼ばれるマークであり、この単図柄が有効な１本の入賞ライン上で停止表示された場合には例えば２枚のメダルが遊技者に付与される。また、「スイカ−スイカ−スイカ」の組合せが有効化された１つの入賞ライン上に揃った場合には、例えば１２枚のメダルが付与される。また、「ベル−ベル−ベル」の組合せが有効化された１つの入賞ライン上に揃った場合には、９枚のメダルが付与される。
【００６１】
また、賭数に応じて有効化された入賞ラインが複数本存在する場合において、前述したようにメダルが払出される図柄の組合せが複数本の入賞ライン上において同時に成立した場合には、各入賞ライン上の図柄の組合せによって付与されるメダル枚数の合計枚数に相当するメダルが付与されるのが原則である。しかし、１ゲームにおいて遊技者に付与されるメダルの上限が１５枚と定められているために、１５枚を越える場合にはその１６枚目以降のメダルが無効となる。
【００６２】
また、「プラム−プラム−プラム」の組合せが有効化された１つの入賞ライン上に揃った場合には、当該ゲームと同一の賭数にて次回のゲームを実施可能なリプレイ（再遊技）ゲームが付与される。
【００６３】
また、通常遊技状態において有効化されたいずれかの入賞ライン上に「ＢＡＲ−ＢＡＲ−ＢＡＲ」の図柄が揃えば、ＲＢ入賞したことになり、「ＢＡＲ−ＢＡＲ−ＢＡＲ」の図柄が揃ったことの対価として１５枚のメダルが払出されるとともに、遊技者にとって有利なレギュラーボーナス（ＲＢ）が発生し、以下に説明するレギュラーボーナスゲーム（ＲＢゲーム）が遊技者に対して付与される。具体的に説明すると、このＲＢが発生した場合には、プラム図柄の揃目が揃うことにより１５枚のメダルが払出されるＪａｃ入賞が高確率で発生するＲＢゲームが最大で１２回提供されるとともに、このＲＢゲームが１２回実行されるか、あるいはＲＢゲームが１２回に達する前にＪａｃ入賞が８回発生するか、いずれかの条件が満たされた時点で終了する。したがって、遊技者は１２回のＲＢゲーム中に最大８回のＪａｃ入賞の機会を得ることができる。
【００６４】
また、通常遊技状態において、有効化された入賞ライン上に、「白７−白７−白７」が揃えば、ＢＢ入賞したことになり、「白７−白７−白７」の図柄が揃ったことの対価として１５枚のメダルが払出されるとともに、遊技者にとって有利な特別遊技状態としてのビッグボーナス（ＢＢ）が発生し、以下に説明する小役ゲームとＲＢが遊技者に対して付与される。
【００６５】
具体的に説明すると、このＢＢが発生した場合には、まず、遊技状態が通常遊技状態から小役ゲームに移行する。小役ゲームでは、対象となる小役図柄の組み合わせが揃って所定枚数のメダルの払出しを伴う入賞が比較的高確率で発生するＢＢゲームが最大で３０回提供される。
【００６６】
また、ＢＢゲームを３０回実行するまでの間にプラム図柄の揃目が揃ってＪａｃＩｎ入賞した場合には、所定枚数のメダルが付与されるとともに、レギュラーボーナス（ＲＢ）に移行して前述したＲＢゲームが最大で１２回提供され、このＲＢゲームが１２回実行されるか、或いはＲＢゲームが１２回に達する前にＪａｃ入賞が８回発生するか、いずれかの条件が満たされた時点で終了する。このＲＢは、ＢＢ中において移行可能な最大回数が規定されており、本実施例では最大で３回移行し得るように規定されている。
【００６７】
そしてＢＢは、小役ゲーム中に３０回のＢＢゲームを実行した場合か、或いは３０回のＢＢゲームを実行する前にＲＢへ３回移行し、３回目のＲＢが終了した場合のうち、いずれかの条件が満たされた時点で終了する。
【００６８】
以上、実施形態に係る遊技機としてのスロットマシン１の全体の概略構成及び遊技内容について説明してきたが、次には、スロットマシン１の構造について詳細に説明する。スロットマシン１は、前述したように筐体２と前面扉３とから構成されているので、以下それぞれに分けて説明する。
【００６９】
（２）筐体
筐体２は、前述したように、上部の天板１５０と、左側板１５１Ｌ及び右側板１５１Ｒと、下部の底板１５２と、背面の背板１５３と、によって直方体状に組み付けられ、その内部には、主に遊技制御基板ボックス３５０、リールユニット５０、ホッパーユニット５７、電源ユニット６５、オーバーフロータンク５９等が収容されている。
【００７０】
そこで、まず、筐体２の外形を構成する天板１５０、側板１５１Ｌ、１５１Ｒ、底板１５２、背板１５３について図６〜図１０を参照して説明する。図６はスロットマシン１を示す背面図であり、図７はスロットマシン１を示す右側面図（左側面図は右側面図と同一のため省略する）であり、図８（ａ）はスロットマシン１を示す平面図であり、（ｂ）はスロットマシン１を示す底面図であり、図９は筐体２と前面扉３との関わりを示す要部拡大平面図であり、図１０は一部の部材が組み付けられた状態の筐体２を示す正面図である。
【００７１】
（２−１）背板
背板１５３には、図６に示されるように、その上部に後述する遊技制御基板ボックス３５０を取り付けるための開口部としての基板取付用開口１５４が開設されている。基板取付用開口１５４の長方形部の一方の短辺部の外側には膨出部１５４ａが形成されているとともに、各角部はＲ形状に加工されている。この基板取付用開口１５４は、背板１５３の前面側から取り付けられる遊技制御基板ボックス３５０を取り付けるための基板取付部材３５１（図１０参照）にて閉塞される。
【００７２】
基板取付用開口１５４の側方には、円形の外部接続配線通し穴１５７が開設されており、前記外部出力基板５０５からの配線を外部に引き出すことが出来るようになっており、引き出した配線は、例えば、遊技場の管理コンピュータに接続される。基板取付用開口１５４のやや下部には、溝状に形成される放熱穴１５５が水平方向に複数個形成されている。
【００７３】
放熱穴１５５のさらに下方には、自動循環補給装置接続開口１５６が形成されている。この自動循環補給装置接続開口１５６は、遊技場の設置台にメダルの自動循環補給装置が付設されている場合において、接続開口閉塞部材２１２（図１０参照）を取り外すことにより自動循環補給装置の補給ホース（図示略）を筐体２の内部に収容できるようになっており、補給ホースは、筐体２の内部に設けられるホッパーユニット５７のホッパータンク５７ａの上部に臨むようになっている。
【００７４】
また、背板１５３の下部には、前面扉３の軸支側に縦長矩形状の電源ユニット用放熱開口１５８が開設されており、その側方には、低音用のスピーカが取り付けられるスピーカ用開口１５９が開設されている。電源ユニット用放熱開口１５８は、電源ユニット６５から発生する熱を外部に放出するものであり、その下部側方に形成された膨出部１５８ａから電源ユニット６５に接続される電源線が外部に引き出される。スピーカ用開口１５９には、低音スピーカ１３７（図１１参照）が臨むように取り付けられ、そのスピーカ用開口１５９には、スピーカ保護網２１６（図１０参照）が背板１５３の外側からタッカー（ステプラー針の大型のもの）で止着される。
【００７５】
スピーカ用開口１５９のさらに側方には、円形のエンプティセンサ配線通し穴１６１が形成されている。このエンプティセンサ配線通し穴１６１は、自動循環補給装置が付設されている場合に、後述するホッパータンク５７ａに取り付けられるエンプティセンサ（図示略）からの配線を外部に引き出すためのものである。
【００７６】
（２−２）側板
左側板１５１Ｌ及び右側板１５１Ｒの上下方向中央部よりやや下方位置には、図７に示されるように、スロットマシン１を運搬する場合に指先を入れて持ち運ぶための運搬用凹部１５Ｌ、１５Ｒ（図１参照）を形成するための運搬用開口１６２Ｌ、１６２Ｒが形成されている。この運搬用開口１６２Ｌ、１６２Ｒには、後述する取手部材２１１Ｌ、２１１Ｒ（図４及び図１０参照）が筐体２の外側から嵌合されることにより閉塞されて運搬用凹部１５Ｌ、１５Ｒが形成されることになる。また、この運搬用開口１６２Ｌ、１６２Ｒの外面側の周縁部には、取手部材２１１Ｌ、２１１Ｒのフランジ部を収容する収容溝１６３Ｌ、１６３Ｒが環状に凹設されている。
【００７７】
また、左側板１５１Ｌ及び右側板１５１Ｒの前端面は、下端部から上端部に向かって後方に傾斜する傾斜面状に形成されており、前面扉３の後面も同じ方向に傾斜する傾斜面状に形成されている。これらの傾斜角度は、図７に示されるように、鉛直方向を向く基準線Ｐに対して約５．５度上端部側が後方に傾いており、これは、左側板１５１Ｌ及び右側板１５１Ｒの前端面を鉛直方向に向けて形成した場合よりも、前面扉３により筐体２の前面開口を閉塞した際において前面扉３の荷重が左側板１５１Ｌ及び右側板１５１Ｒの前端面にかかりやすくなり、前面扉３の閉塞時において前面扉３と筐体２との間に隙間が形成されにくくなるためであり、これにより両者の間に形成される隙間から針金等を挿入すること等による不正行為が防止される。
【００７８】
なお、前面扉３に組み付けられる上部パネル５及び下部パネル７は、鉛直方向を向く基準線Ｐとほぼ平行をなすように、すなわち、ほぼ鉛直方向を向くように組み付けられているとともに、遊技パネル６は、鉛直方向を向く基準線Ｐに対して約１０度上端部側が後方に傾くように組み付けられている。これら角度は、スロットマシン１は設置時において遊技者の目線が遊技パネル６のやや上部付近にくることを前提として設計されている。すなわち、特に遊技者が最も注目する可変表示部を透視可能な透視窓１４（図１、図３参照）が形成された遊技パネル６に関しては、遊技者からの視認性を最も考慮して前記約１０度の傾斜角度をつけて組み付けられており、また、上部パネル５及び下部パネル７に関しては、遊技者はもちろん、遠方からの表示内容の視認性を考慮して傾斜をつけずに組み付けられている。
【００７９】
また、図８及び図９に示されるように、左側板１５１Ｌの前端面には、前面扉３が回動する際において前面扉３における回動軸側端部と干渉するのを回避するための円弧状の切欠凹部１６６が上下方向にわたって凹設されている。この切欠凹部１６６は、左側板１５１Ｌの前端面における外端部から筐体２の内側に向かって凹むように設けられている。
【００８０】
（２−３）天板及び底板
天板１５０の前端面１５０ａにおける左側板１５１Ｌ側の端部には、図８（ａ）、（ｂ）に示されるように、前面扉３が回動する際にその端部が干渉するのを回避するための円弧状の切欠凹部１６７が外向きに凹設されている。切欠凹部１６７の曲率は、左側板１５１Ｌの前端面に形成された切欠凹部１６６と同一とされているため、前記切欠凹部１６６の内面上部と切欠凹部１６７の内面とで連続する円弧状の凹面が形成されるようになっている。
【００８１】
また、底板１５２の前端面１５２ａにおける左側板１５１Ｌ側の端部には、前記切欠凹部１６６の内面上部と切欠凹部１６７の内面とにより連続的に形成される円弧状の凹面と同形をなす切欠凹部１６８が形成されており、この切欠凹部１６８における左側板１５１Ｌ側端部内面は、前記切欠凹部１６６の内面に連続するようになっている。
【００８２】
このように筐体２側に切欠凹部１６６及び切欠凹部１６７、１６８が形成されていることで、図９（ａ）、（ｂ）に示されるように、前面扉３を開閉する際において、前面扉３の回動軸側端部と天板１５０、側板１５１Ｌ、１５１Ｒ、底板１５２の前端面との干渉が回避される。よって、例えば前面扉３を筐体２に回動自在に枢支するために特殊な蝶番（例えば多関節蝶番）等を用いる必要がなく、コストを低減できるとともに、切欠凹部１６６は左側板１５１Ｌの前端面における外端部から筐体２の内側に向かって凹むように設けられているため、図９（ａ）に示されるように前面扉３を閉塞した状態において左側板１５１Ｌの前端面と前面扉３の後端面との間に隙間が生じることがないので、外部からの不正行為が効果的に防止される。
【００８３】
また、天板１５０は、その後部側に左右方向を向く溝状の上部放熱穴１６４が左右に４つずつ形成されている。このように上部放熱穴１６４を細長溝状として複数設けることで、放熱効果を低減することなく、かつ、外部からの不正行為を極力行いにくくすることが出来る。また、天板１５０と対向する底板１５２には、スロットマシン１を遊技場の設置島に設置した際に当該設置島にメダルの自動循環補給装置が付設されている場合に、スロットマシン１内でオーバーフローしたメダルを回収樋へ排出するためのメダル回収開口１６５が開設されている。
【００８４】
なお、図８（ｂ）中に示される符号２７０は、メダル受皿１０を前面扉３に取り付けるためのネジ（図示略）が螺入されるメダル受皿取付用ネジ穴であり、２７１は、メダル受皿１０の上面に設けられる補強用鉄板をメダル受皿１０に取り付けるためのネジ（図示略）が螺入される補強用鉄板取付用ネジ穴である。
【００８５】
上記した天板１５０、左側板１５１Ｌ、右側板１５１Ｒ、底板１５２、及び背板１５３の組付けは、図１、図２及び図６〜図１０に示されるように、天板１５０を左右側板１５１Ｌ、１５１Ｒの内側に入れて挟持し、左右側板１５１Ｌ、１５１Ｒの底面を底板１５２の上面に当接するように載置するとともに、これら天板１５０、左右側板１５１Ｌ、１５１Ｒ、底板１５２の後端面を背板１５３の前面に当接し、それぞれの当接面を接着剤で接着し、且つ各板間に跨るようにタッカーを打ち付けて前面が開放したほぼ直方体を構成している。ただし、これだけでは強度的に弱いので、図１０及び図１１に示されるように、金属性の上部枠板１７０、左側部枠板１７１、右側部枠板１７２、底部枠板１７３で相互の板を連結固定している。
【００８６】
これら上部枠板１７０、左側部枠板１７１、右側部枠板１７２、底部枠板１７３は互いに連結されているので、いずれかの箇所で静電気が発生しても特にアースをしなくても全体的に自然放電することができ、遊技制御基板５００への悪影響を防止することができる。
【００８７】
なお、左側部枠板１７１には、前面扉３を回動自在に枢支する枢軸１８４Ｈ、１８４Ｌが上下所定箇所にそれぞれ設けられており、右側部枠板１７２には、前面扉３側に設けられる右側部錠板金の係合片（図示略）と係合する係合突片１８５Ｈ、１８５Ｌが上下所定箇所に設けられているとともに、前面扉３を閉じた際において、前記右側部錠板金に設けられるガイドローラ（図示略）が乗り上げて前面扉３を下方から支持する支持片として機能する載置片１８６が設けられている。また、底部枠板１７３には、ホッパーユニット５７がスライド係合するホッパーユニット係合レール２０１ａ、２０１ｂが設けられている。
【００８８】
また、図１０に示されるように、背板１５３の前面には、リールユニット５０を取り付けるためのリールユニット取付片１７４及びリールユニット係止片１７５、オーバーフロータンク５９内部のメダル量を検出するフルセンサ６０ａ、６０ｂ、電源ユニット６５の上部を押さえる電源ユニット押さえ金具２１０が取り付けられる。
【００８９】
以上説明してきたように、各種枠体や部品等が取り付けられた筐体２には、図１１に示されるように、ホッパーユニット５７、オーバーフロータンク５９、電源ユニット６５、外部出力基板５０５及び該外部出力基板５０５を取り付けるための外部出力基板取付部材３１５、遊技制御基板５００が収容された収容ケースとしての遊技制御基板ボックス３５０及び基板取付部材３５１が、ネジや種々の取付手段を介して筐体２内に配設される。
【００９０】
次に、本実施例におけるスロットマシン１の可変表示装置を構成するリールユニット５０の詳細を、図１１〜図２２に基づいて説明する。図１１は筐体２に装着される各種装置と筐体２との関係を示す斜視図であり、図１２はリールユニット５０を斜め前側からみた斜視図であり、図１３はリールユニットを示す分解斜視図であり、図１４はリール体を示す分解斜視図であり、図１５は支持板を示す側面図であり、図１６（ａ）は図１５のＡ−Ａ断面図であり、（ｂ）（ｃ）は（ａ）の要部拡大図であり、図１７（ａ）はリール収容箱体を示す正面図であり、（ｂ）は（ａ）のＡ−Ａ断面図であり、図１８はリール収容箱体を斜め後方から見た斜視図であり、図１９はリール体をリール収容箱体に組み付ける状態を示す概略図であり、図２０（ａ）は支持板をリール収容箱体内部に組み付ける状態を示す断面図であり、（ｂ）は支持板がリール収容箱体内部に組み付けられた状態の要部を示す断面図であり、図２１（ａ）〜（ｃ）はリールと遊技パネルとの関係を示す図であり、図２２（ａ）〜（ｃ）はラッチによる支持板の取付け工程及びその作用を示す断面図である。
【００９１】
（２−４）リールユニット
リールユニット５０は、３個のリール５１Ｌ、５１Ｃ、５１Ｒと、これらリール５１Ｌ、５１Ｃ、５１Ｒを横並び状態に並設するためのリール収容箱体５２と、から主に構成されており、各リール５１Ｌ、５１Ｃ、５１Ｒは、図１３に示されるように、リール収容箱体５２に着脱自在に設けられる。
【００９２】
リール収容箱体５２は、ＡＢＳ樹脂により前面が開口する箱状に形成され、リール中継基板５０３及びリールランプ中継基板５０４、リールランプ中継基板５０４を固定するための基板固定爪４９５ａ、４９５ｂ及び該基板固定爪４９５ａ、４９５ｂを回動自在に取り付けるための固定爪取付片４９７ａ、４９７ｂ、リール収容箱体５２を背板１５３に取り付けるための固定片４５２ａ、４５２ｂ及び係止片４５１が取り付けられる。
【００９３】
（２−５）リール中継基板
リール中継基板５０３は、リール収容箱体５２との対向面（前面側）に、リール収容箱体５２内に組み付けられた各リール５１Ｌ、５１Ｃ、５１Ｒ側に設けられたコネクタ６８６（図１４参照）にそれぞれ接続される３個のコネクタ５６５Ｌ、５６５Ｃ、５６５Ｒが前向きに実装されているとともに、遊技制御基板５００に接続されるケーブルが接続されるコネクタ５６６が上向きに実装されている。周縁部には６個のネジ穴５６７が所定間隔おきに形成されており、このネジ穴５６７にネジ５６８を止着することでリール収容箱体５２の背面上部に固定される。
【００９４】
（２−６）リールランプ中継基板
リールランプ中継基板５０４は、リール収容箱体５２との対向面（下面側）に、リール収容箱体５２内に組み付けられた各リール５１Ｌ、５１Ｃ、５１Ｒ側に設けられたコネクタ６８８（図１４参照）にそれぞれ接続される３個のコネクタ５６９Ｌ、５６９Ｃ、５６９Ｒが前向きに実装されているとともに、反対側面には、前記演出用中継基板５０９に接続されるケーブルが接続されるコネクタ５７０が上向きに実装されている。また、基板における前記基板固定爪４９５ａ、４９５ｂに対応する箇所には切欠部５７１ａ、５７１ｂが形成されている。
【００９５】
（２−７）各種金属材
係止片４５１は、前記リールユニット係止片１７５に係止されるもので横長の金属板にて構成されており、幅方向の中央部にて屈曲された上片部にはネジ穴５７２が長手方向に向かって所定間隔おきに３個形成されており、これらネジ穴５７２にネジ５７３を止着することでリール収容箱体５２の背面に取り付けられる。また、各ネジ穴５７２間には、リール収容箱体５２の位置決め凸部４７１が嵌合される位置決め穴５７４が形成されている。
【００９６】
固定片４５２ａ、４５２ｂは、リールユニット取付片１７４に当接して固定されるもので金属片にて構成されており、その上部は後向きにやや屈曲されているとともに、その下部には２個のネジ穴５７５ａ、５７５ｂが上下に形成されており、それぞれのネジ穴５７５ａ、５７５ｂにネジ５７６ａ、５７６ｂをそれぞれ止着することでリール収容箱体５２の背面に取り付けられる。上下のネジ穴５７５ａ及びネジ穴５７５ｂ間には、リール収容箱体５２の位置決め凸部４５８ａ、４５８ｂが嵌合される位置決め穴５７７ａ、５７７ｂが形成されている。
【００９７】
固定爪取付片４９７ａ、４９７ｂは、側面視略逆Ｌ字状に屈曲された金属片にて構成されており、その下片部にはネジ穴５７８ａ、５７８ｂが形成されており、それぞれのネジ穴５７８ａ、５７８ｂにネジ５８０ａ、５８０ｂをそれぞれ止着することでリール収容箱体５２の背面に取り付けられる。ネジ穴５７８ａ、５７８ｂの下方には、リール収容箱体５２の位置決め凸部４６０ａ、４６０ｂ（４６０ｂは図示略）が嵌合される位置決め穴５７９ａ、５７９ｂが形成されている。上片部には、基板固定爪４９５ａ、４９５ｂを回転自在に支持するネジ５８１ａ、５８１ｂが螺入されるネジ穴５８２ａ、５８２ｂが形成されている。
【００９８】
次に、各リール５１Ｌ、５１Ｃ、５１Ｒの構成及び各部部材の構造を図１４〜図１７に基づいて説明する。なお、本実施例におけるリール５１Ｌ、５１Ｃ、５１Ｒの取付け構造は全てほぼ同一であるため、図１４〜図１７ではリール５１Ｌの構成及び各部材の構造のみを説明することによりリール５１Ｃ、５１Ｒの詳細な説明は省略するものとする。
【００９９】
（２−８）支持板
図１４における６００は、リール５１Ｌを回転自在に支持するリールモータ５４Ｌを取り付けるためのＡＢＳ樹脂製の支持板であり、この支持板６００の上下の取付片６００ａ、６００ｂに形成された孔部６０２内に取り付けたラッチ４３０を介して前記リール収容箱体５２に固定することで、リール５１Ｌをリール収容箱体５２内に組み付けることが出来るようになっている。
【０１００】
支持板６００の前方には、隣接配置されるリール同士の間を閉塞する円弧状のリール間隠蔽部５３が支持板６００に一体的に形成されている。リール間隠蔽部５３の近傍には、３つのリールランプ５５Ｌａ〜５５Ｌｃが上、中、下段にそれぞれ区画して収容されるランプユニット６０１が挿通される開口部６８０が開成されており、後述する係止手段を介して着脱自在に取付けられるようになっている。支持板６００の内面６００ｃ（リール５１Ｌの配置側面）における略中央位置には、リールモータ５４Ｌを固定するためのモータ取付部６１３が形成されている。
【０１０１】
このモータ取付部６１３には、リールモータ５４Ｌの台座６４１の周囲を囲むように保持する四角状の枠条６０７と、リールモータ５４Ｌの取付け位置を決定する駆動モータ位置決め手段としての凸部６０６と、リールモータ５４Ｌを取り付けるためのネジ６０３を挿通するための挿通孔６０８と、回転軸６０４の後端との干渉を避けるための穴部６０９が形成されている。
【０１０２】
内面６００ｃの後方上部には、リールモータ５４Ｌ及びリールセンサ５６Ｌから延設されるケーブルが接続されるとともに、前記リール中継基板５０３のコネクタ５６５Ｌ、５６５Ｃ、５６５Ｒに接続されるコネクタ６８６を有するリール信号基板６８７と、リールランプ５５Ｌａ〜５５Ｌｃから延設されるケーブルが接続されるとともに、前記リールランプ中継基板５０４に接続するためのコネクタ６８８を有するリールランプ信号基板６８９が取り付けられており、これらコネクタ６８６、６８８は、支持板６００をリール収容箱体５２内に組み付けた際にそれぞれの基板に設けられたコネクタに接続されるようになっている。
【０１０３】
詳しくは、図２０（ｂ）に示されるように、リール信号基板６８７は、支持板６００Ｌの内面６００ｃに突設された位置決めピン４８３が挿通する位置決め孔４８４が一方の対角線上の角部に２つ形成されているとともに、支持板６００Ｌの内面６００ｃに突設された段付きのボス４８６が嵌合される嵌合孔４８５が他方の対角線上の角部に２つ形成されている。リール信号基板６８７は、位置決め孔４８４内に位置決めピン４８３を挿通して位置決めした状態で嵌合孔４８５にボス４８６を嵌合することで、嵌合孔４８５の周縁部がボス４８６の外周面先端部に形成された係止部（図示略）に係止されて支持板６００Ｌに取り付けられるようになっている。
【０１０４】
また、リールランプ信号基板６８９には、支持板６００Ｌの内面６００ｃに突設された位置決めピン４７９が挿通する位置決め孔４８０が２つ形成されているとともに、支持板４０４Ｌの側面に突設された段付きのボス４８１が嵌合される嵌合孔４８２が２つ形成されている。リールランプ中継基板５０４は、位置決め孔４８０内に位置決めピン４７９を挿通して位置決めした状態で嵌合孔４８２にボス４８１を嵌合することで、嵌合孔４８２の周縁部がボス４８１の外周面先端部に形成された係止部（図示略）に係止されて支持板６００Ｌに取り付けられるようになっている。
【０１０５】
これら位置決め孔４８０、４８４の内径は位置決めピン４７９、４８３の外径よりも若干大径に形成されているとともに、嵌合孔４８２、４８５の内径はボス４８１、４８６の外径よりも若干大径に形成されている。これによりリール信号基板６８７及びリールランプ信号基板６８９は、取り付け時において支持板６００Ｌの側面に対して平行方向に若干移動自在となっており、リール５１Ｌの駆動開始や駆動停止時等において支持板６００Ｌに発生する振動が直に伝達されないので、振動によるリール信号基板６８７及びリールランプ信号基板６８９内での断線や振動音の発生等が防止されるようになっている。
【０１０６】
支持板６００Ｌの後端には、リール収容箱体５２に形成された後述する案内凹部４５９Ｌ内に差し込まれる差込部６９０が後方に膨出するように形成されているとともに、差込部６９０の所定箇所には後述する案内片４６１が挿入される後向きに開放する細溝６９１が形成されている。また、後端上部には、支持板６００Ｌの後端上部をリール収容箱体５２に形成された後述する案内凹部４５９Ｌ内に差し込まれるように案内する平面視略三角形状の案内片６９２が後向きに突設されている。また、支持板６００Ｌの所定箇所には、軽量化のための穴部６８５が３箇所に形成されている。
【０１０７】
（２−９）リールモータ
リールモータ５４Ｌの本体部６４０の下部には、支持板６００Ｌに取り付けるためのネジ６０３が螺入されるネジ孔６４２が四隅に形成された台座６４１が設けられており、この台座６４１の裏面における所定箇所には、前述したモータ取付部６１３所定箇所に内向きに突設された凸部６０６に嵌合する嵌合孔部（図示略）が形成されている。
【０１０８】
リールモータ５４Ｌは、この図示しない嵌合孔部内に凸部６０６が嵌合されるように、台座６４１を枠条６０７内にはめ込んだ状態で、支持板６００Ｌの外面（内面６００ｃの反対面）側から挿通孔６０８内に挿通したネジ６０３をネジ孔６４２内に螺入することで、支持板６００Ｌの内面６００ｃに取り付けられるようになっている。支持板６００Ｌの内面６００ｃに形成された凸部６０６と台座６４１の裏面に形成された嵌合孔部とによりリールモータ５４Ｌの位置決め手段が構成されているため、リールモータ５４Ｌを正確な位置に取り付けることが出来る。
【０１０９】
リールモータ５４Ｌの本体部６４０における回転軸６０４側の端面部には、リールセンサ５６Ｌを設けるための取付板６０５が取り付けられている。取付板６０５には切欠部（図示略）が形成されており、リールモータ５４Ｌの回転軸６０４の側方から差し込むことが出来るようになっているとともに、本体部６４０の上部端面に図示しないネジを螺入することで本体部６４０に取り付けられている。
【０１１０】
取付板６０５にはリールセンサ５６Ｌが取り付けられている。リールセンサ５６Ｌは、特に図１６（ｂ）に示されるように、本体部６５０の上部に透光部５６Ｌａ及び受光部５６Ｌｂが設けられるとともに、本体部６５０の下面四隅からは脚片６５１、６５２がそれぞれ下向きに連設されている。脚片６５１、６５２はそれぞれ合成樹脂材により弾性変形自在に形成されており、脚片６５１の先端には取付板６０５に形成された開口６４７ａ周縁部に係止される係止爪６５１ａが形成されているとともに、脚片６５２の先端には取付板６０５に形成された開口６４７ｂ周縁部に係止される係止爪６５２ａが形成されており、リールセンサ５６Ｌを取付板６０５の上方から下降させることによりそれぞれの脚片６５１、６５２が弾性変形して係止爪６５１ａ、６５２ａが開口６４７ａ、６４７ｂそれぞれの周縁部に係止され、脚片６５１、６５２の弾性復帰力によって取付板６０５に取り付けられるようになっている。なお、係止爪６５１ａ、６５２ａはそれぞれ異なる向きに形成されているので、前後左右方向のずれが効果的に防止されている。
【０１１１】
図１４に戻って、リールモータ５４Ｌの本体部６４０から突出した回転軸６０４の先端には、リール５１Ｌを相対回動不能に固定するための円盤状の回転板６１０（回動板）が固定されている。この回転板６１０は、材質が亜鉛ダイキャストからなり、その中心に回転軸６０４とほぼ同径をなす貫通穴が形成される円板部６１０ａと、円板部６１０ａの外周端縁から環状に連設される環状片６１０ｂとから構成されている（図１６参照）。
【０１１２】
図１４及び図１６に示されるように、円板部６１０ａにおけるリールモータ５４Ｌの反対側面には、リール５１Ｌを固定するための固定ネジ６１４が螺合するネジ孔６１５が、円板部６１０ａの中心部を中心とする同心円上に４箇所形成されているとともに、リール５１Ｌを固定する際の位置決め手段となる位置決めピン６１６ａ、６１６ｂが、円板６１０ａの中心部を挟んで対向するように、かつ、前記中心部からの距離がそれぞれ異なる位置に突設されている。
【０１１３】
円板部６１０ａの周縁部近傍には大径穴６５３が８つ、その内側には小径穴６５４が４つ形成されている。これら複数の穴が形成されていることにより、金属材からなる回転板６１０が軽量となってリールモータ５４Ｌの駆動負担が軽減されるとともに、製造コストを低減出来る。また、リールモータ５４Ｌにて発生した熱が効果的に放熱されるようになっている。なお、これら穴のうち、４つの小径穴６５４は、特に図示しないが、回転板６１０を所定の向きで停止させた際に、取付板６０５をリールモータ５４Ｌの本体部６４０に取り付けるための取付部（ネジ）の直上に位置するようになっているため、回転軸６０４に回転板６１０が取り付けられた状態にあっても、ドライバー等を挿通してその下方のネジの取付け、取り外しを目視にて確認しながら行うことが出来るため、取付板６０５、ひいてはリールセンサ５６Ｌのリールモータ５４Ｌに対する着脱を、回転板６１０が回転軸６０４に固定された状態でも容易に行うことが出来る。
【０１１４】
このように構成される回転板６１０は、工場からの出荷時において予め回転軸６０４に圧入することにより回転軸６０４に対して相対回転不能に固定されている。そして回転軸６０４に固定された状態において、特に図１６に示されるように、環状片６１０ｂの一部がリールセンサ５６Ｌにおける投光部５６Ｌａと受光部５６Ｌｂとの間に位置するようになっており、環状片６１０ｂの所定箇所に形成された回転基準位置検出部を構成する切欠部６１７が投光部５６Ｌａと受光部５６Ｌｂとの間を通過することにより、回転板６１０、すなわち、リール５１Ｌの回転基準位置が検出されるようになっている。
【０１１５】
なお、回転軸６０４とリール５１Ｌとが確実に相対回転不能に固定されていないと、リール５１Ｌの周面に配置される図柄の停止位置ずれ等が発生することがあるため、本実施例においては、リール５１Ｌを固定するための回転板６１０を回転軸６０４に対して圧入することにより回転軸６０４と回転板６１０とを相対回転不能に固定しているが、例えば回転軸６０４とリール５１Ｌとの相対回転を不能に固定するために、予め回転軸６０４と回転板６１０とを一体成型により構成してもよい。
【０１１６】
また、本実施例においては、回転板６１０の回転軸６０４への取付けはリールモータ５４Ｌを励磁させた状態で行われている。これは、リール５１Ｌの回転基準位置検出部である切欠部６１７が回転板６１０に形成されているためである。詳しく説明すると、本実施例におけるリールモータ５４Ｌはステッピングモータであるため、回転板６１０を回転軸６０４へ固定する際において、リールモータ５４Ｌの回転軸６０４が励磁された状態における所定の停止位置（ステップ数に応じた停止位置）から若干ずれた位置にて停止されている状態で回転板６１０が取り付けられると、このような固定位置の微量のずれにより、リールモータ５１Ｌを駆動させてリール５１Ｌを回転させた際において、リールセンサ５６Ｌによる切欠部６１７の検出位置に若干のずれが発生して、リール５１Ｌの回転基準位置を正確に検出出来なくなることがあるからである。
【０１１７】
なお、本実施例におけるリールモータ５４Ｌは、４相のステッピングモータが使用されており、１相励磁の時に２００ステップであるのを１−２相励磁方式にて使用することで、プログラム上では４００ステップとなってスムーズに回転するようになっている。前述したように、本実施例における図柄は各リールシート６５５に２０個ずつ配置されているので、図柄の配置数に対してモータのステップ数が整数倍とされていることから、１図柄に対応するステップ数が均等に割り振られている（本実施例では１図柄に対して２０ステップ）。よって、図柄の停止位置のずれ等が効果的に防止されるため、例えば複数のリール５１Ｌ、５１Ｃ、５１Ｒが図１２に示されるように並設された状態において、各リール５１Ｌ、５１Ｃ、５１Ｒの図柄が横並びに整列する状態で停止させることが出来る。
【０１１８】
また、この励磁方式による基本励磁パターンは４ステップからなっており、この基本励磁パターンが繰り返されることにより回転軸６０４を回転させるようになっている。前述した切欠部６１７の検出方向の幅寸法は、この基本励磁パターン分に相当するステップ数である４ステップ分に相当する幅寸法に形成されているため、回転基準位置の検出を、リールセンサ５６Ｌによる切欠部６１７の検出と基本励磁パターンとで行う場合にも対応して使用することも可能である。
【０１１９】
（２−１０）リール
リール５１Ｒは、識別情報としての複数種の図柄が外方から視認可能となるように印刷等により配置された帯状のリールシート６５５と、このリールシート６５５の両端縁部をそれぞれ環状に保持する互いに別個に形成される一対の保持枠６５６、６５７とから構成されている。なお、本実施例におけるリールシート６５５は、厚さが約０．５ｍｍのＰＥＴ樹脂材により薄肉の帯状に成形されており、また、保持枠６５６、６５７は、ＡＢＳ樹脂材により成形されているがこれら材質は特に限定されるものではない。
【０１２０】
（２−１１）保持枠
保持枠６５６は、リールシート６５５の一端縁部が外周面に貼着される環状片６５８と、回転軸６０４に対して回転不能に固定された回転板６１０に固定するための固定部を構成する円板状の固定板６５９と、この固定板６５９と環状片６５８とを連結するように放射線状に設けられる複数のスポーク片６６０と、から、リールモータ５４Ｌに固定するための駆動保持枠として構成されている。なお、本実施例においては、これら固定板６５９、スポーク片６６０、環状片６５８を主にそれぞれ厚さ約１〜１．５ｍｍの薄肉の板材にて全体を枠状に形成するとともに、要所に補強用のリブを形成することで軽量化が図られている。
【０１２１】
固定板６５９の中心には、回転軸６０４が嵌合される嵌合穴６６１が形成されているとともに、その周囲には、固定ネジ６１４の挿通孔６６２、及び位置決めピン６１６ａ、６１６ｂが挿通される挿通長穴６３０ａ、６３０ｂが形成されている。この挿通長穴６３０ａ、６３０ｂは、回転板６１０に突設された位置決めピン６１６ａ、６１６ｂにそれぞれ対応する箇所に形成されている。これら位置決め手段を構成する挿通長穴６３０ａ、６３０ｂ（位置決めピン６１６ａ、６１６ｂ）は、固定板６５９の中心からそれぞれの挿通長穴６３０ａ、６３０ｂまでの距離が異なる位置に形成されている。これにより円形の保持枠６５６を回転板６１０に対して常に所定の向きで取り付けることが出来るようになっている。
【０１２２】
また、固定板６５９と環状片６５８とが複数のスポーク片６６０により連結されていることにより保持枠６５６の軽量化が図られているとともに、各スポーク片６６０は、固定板６５９から環状片６５８側に向かうに従い先細りとなるように形成されているため、回転軸６０４の固定部となる固定板６５９側の強度が高く、かつ、保持枠６５６の外周付近が軽量化されて、保持枠６５６の回転時における慣性モーメントが極力小さくなるように形成されている。
【０１２３】
環状片６５８は、図１６（ａ）、（ｃ）に示されるように断面略Ｔ字状に形成されており、その外周面には、リールシート６５５における幅方向の一端縁部裏面が高粘着性の両面テープ材等を介して貼着されている。また、環状片６５８の一側面所定箇所には、図１４に示されるように、リールシート６５５の貼着基準位置を示す基準位置表示部としての基準マークＭが設けられており、リールシート６５５を保持枠６５６、６５７に貼着する際において、この基準マークＭにリールシート６５５の長手方向の一端部を合わせることで、保持枠６５６、６５７に対してリールシート６５５を常に一定の位置から貼着することが出来るようになっている。よって、この基準マークＭの位置がリールシート６５５の継ぎ目となる。
【０１２４】
他方の保持枠６５７は、図１６（ａ）、（ｃ）に示されるように断面が略Ｔ字状をなすとともに、環状に形成されるＡＢＳ樹脂材のみからなり、その外周面には、リールシート６５５における幅方向の一端縁部裏面が高粘着性の両面テープ材等を介して貼着されている。
【０１２５】
このように本実施例におけるリール５１Ｌ、５１Ｃ、５１Ｒは複数種の図柄が表面に複数配置された帯状のリールシート６５５と、該リールシート６５５の両端縁部を環状に保持する一対の保持枠６５６、６５７と、からなり、リールシート６５５の両端縁部を、それぞれの枠状の保持枠６５６、６５７の外周面に両面テープ材等によりそれぞれ貼着することにより一体化されて、回動式可変表示体を構成している。
【０１２６】
このように構成されたリール５１Ｌとリールモータ５４Ｌとの固定方法を図１４に基づいて説明する。
【０１２７】
リール５１Ｌをリールモータ５４Ｌに取り付ける場合、回転軸６０４に予め固定された回転板６１０に、保持枠６５６の固定板６５９を取り付ける。詳しくは、固定板６５９の嵌合穴６６１内に回転板６１０から突出された回転軸６０４を嵌合するとともに、挿通長穴６３０ａ内に位置決めピン６１６ａを、かつ、挿通長穴６３０ｂ内に位置決めピン６１６ｂを挿通させるようにして回転板６１０に固定板６５９を当接させる。
【０１２８】
この状態で、固定ネジ６１４を各挿通孔６６２内に挿通し、回転板６１０のネジ孔６１５内にそれぞれ螺入する。これにより、回転板６１０と固定板６５９とは、複数の固定ネジ６１４による取付け作用と、位置決め手段としての凸部６１６ａ、６１６ｂ及び挿通長穴６３０ａ、６３０ｂによる嵌合作用によって回動不能に固定される。よって、リール５１Ｌは保持枠６５６を介して回転板６１０、ひいてはリールモータ５４Ｌの回転軸６０４に対して相対回動不能に固定される。
【０１２９】
以上説明したように、本実施例におけるリール５１Ｌ（５１Ｃ、５１Ｒ）の回動基準位置を検出するための回動基準位置検出部である切欠部６１７が、リール５１Ｌを回転軸６０４に固定するための回転板６１０自体に形成されていることにより、リール５１Ｌの成型精度や回転軸６０４に対する取付け精度に影響されることなく、かつ、リール５１Ｌの回動に応じた回動基準位置の検出が行われるため、回転軸６０４の回転とリール５１Ｌの回転とのずれによる図柄の停止位置のずれが効果的に防止される。
【０１３０】
また、回転板６１０に形成された小径穴６５４を取付板６０５の取付けネジ（図示略）の直上に位置させることで、回転板６１０の上方から前記取付けネジをドライバー等で取り付けたり取り外すことが出来るようになっているので、回転軸６０４に回転板６１０が固定された状態でも、取付板６０５をリールモータ５４Ｌの本体部６４０に対して着脱することが出来るため、リールモータ５４Ｌだけの製造が可能となる。
【０１３１】
また、回動基準位置検出部としての切欠部６１７を、回転板６１０における外周縁部の環状片６１０ｂの所定箇所に形成することで、環状片６１０ｂの内側における回転軸６０４の近傍に切欠部６１７を設ける場合よりも、回転軸６０４の１ステップに対応する移動距離が長くなり、これにより回転基準位置の検出誤差の許容範囲を大きくとれることになるので、リールセンサ５６Ｌによる検出精度が高まることが好ましいが、回転軸６０４からの距離が長くなり過ぎると、切欠部６１７が大きくなって回転板６１０の強度が低下したり、回転板６１０の回動時に生じるぶれ等の要因により検出精度が低下しやすくなるため、切欠部６１７は回転軸６０４から適宜距離離間した位置に形成することが好ましい。
【０１３２】
（２−１２）ランプユニット
支持板６００Ｌに回動自在に取り付けられるリール５１Ｌにおける前述した可変表示部に対応する領域、すなわち、透視窓１４を通して遊技者が図柄を視認可能となる視認領域を後面側から個別に照射可能な照射手段としての複数のリールランプ５５Ｌａ〜５５Ｌｃが設けられる照明ユニットとしてのランプユニット６０１の詳細を説明する。
【０１３３】
ランプユニット６０１は、照射手段としてのリールランプ５５Ｌａ〜５５Ｌｃが配置される本体部と、該本体部を支持板６００に取り付けるための取付部とから主に構成されている。本体部の前方には、それぞれ前方に開口するとともに、上・中・下段それぞれに区画された区画室６７２ａ、６７２ｂ、６７２ｃが形成されている。これら区画室６７２ａ、６７２ｂ、６７２ｃそれぞれの後壁には、後方に設けられるリールランプ基板６７３の前面における上・中・下段にそれぞれ１個ずつ取り付けられたリールランプ５５Ｌａ〜５５Ｌｃを前方に前方に臨ませるための横長の長穴６７４ａ、６７４ｂ、６７４ｃがそれぞれ形成されている。
【０１３４】
本体部の上端部には、先端に下向きの係止爪（図示略）が形成された弾性変形自在な係止片（図示略）が後向きに形成されているとともに、下端部には、先端に上向きの係止爪（図示略）が形成された弾性変形自在な係止片（図示略）が後向きに形成されており、これら上下の係止爪にランプ基板６７３の上下端部を係止させることでランプ基板６７３を本体部６７０の後側に設けることが出来るようになっている。
【０１３５】
本体部における中央の区画室６７２ｂの側壁には、前面に上下方向を向く係合凹溝（図示略）が形成された突出部材（図示略）が、側方に向けて突設されている。また、本体部の側方に前後方向を向くように形成された取付部の上端部には、側面視略上向きコ字状の係合片（図示略）が形成されているとともに、取付部の下端部には、側面視略下向きコ字状の係合片（図示略）が形成されている。
【０１３６】
一方、支持板６００Ｌの開口部６８０は、ランプユニット６０１の本体部を挿通可能な大きさに形成されており、その上端部には、下向きＬ字状の係合片（図示略）が形成されているとともに、下端部には下向きＬ字状の係合片（図示略）が形成されている。また、後端部には、先端に外面（内面６００ｃの反対側面）側に突出する係止爪（図示略）が形成された弾性変形自在な係止片（図示略）が形成されている。
【０１３７】
このように構成されたランプユニット６０１は、支持板６００Ｌの外面側、すなわち、リール５１Ｌの配置位置側と反対側から開口部６８０内に本体部を挿通することにより支持板６００Ｌの内面６００ｃ側、すなわち、リール５１Ｌの配置位置側に配置出来るようになっている。次いで、本体部を開口部６８０内における後側に位置させ、この状態から前方に向けてランプユニット６０１をスライド移動させることで、前記各係止部材の係止作用によって支持板６００に取り付けられる。よって、ランプユニット６０１を支持板６００Ｌから取り外す場合は、ランプユニット６０１を後退させることで前記各係止部材による係止状態が解除され、支持板６００Ｌの内面６００ｃ側に配置されていた本体部を外面側に容易に引き出して取り外すことが出来る。
【０１３８】
このように、リール５１Ｌ及びリールモータ５４Ｌ、ランプユニット６０１が固設される支持板６００Ｌからなるリール体は、図１４に示されるように、リール収容箱体５２内に横並び状態で組み込まれる。このとき、特に図１６に示されるように、互いに所定距離離間するように隣り合って配置される各リール５１Ｌ、５１Ｃ、５１Ｒ間には、各支持板６００Ｌ、６００Ｃ、６００Ｒの前方に一体的に形成されたリール間隠蔽部５３が配置される。詳しくは、図１６（ｃ）に示されるように、リール間隠蔽部５３は、その幅方向の端部とリールシート６５５の端部とが互いに所定幅分重なり合うように（要部拡大図参照）、互いに隣り合うそれぞれのリールのリールシート６５５の裏面（内周面）側端部まで張り出すように設けられるているため、リールシート６５５の表面における遊技者からの視認領域を狭めることなくリール５１Ｌ、５１Ｃ、５１Ｒ間を隠蔽することが出来る。よって、各リールシート６５５の表面を、幅方向に広く見せることが出来るため、リールシート６５５の表面に配置される図柄等を大きくするなどして視認性を高める等の自由度が向上するばかりか、リール隠蔽部５３が可変表示部内に大きく露呈して可変表示部の外観体裁が損なわれることを防止出来る。
【０１３９】
（２−１３）リール収容箱体
設置体としてのリール収容箱体５２は、図１２、図１３及び図１７及び図１８に示されるように、ＡＢＳ樹脂材により前面が開口する箱状に構成されており、前述したように内部にリール５１Ｌ、５１Ｃ、５１Ｒの後部分を収容出来るようになっている。前面開口の周縁部に形成されたフランジ部４５６における上下部所定箇所には、支持板６００Ｌ、６００Ｃ、６００Ｒを固定するラッチ４３０を挿通する挿通穴４５７が所定間隔おきに複数形成されている。
【０１４０】
リール収容箱体５２の後壁５２ａ内面所定箇所には、各支持板６００Ｌ、６００Ｃ、６００Ｒの組み付け時において、各支持板６００Ｌ、６００Ｃ、６００Ｒの前記差込部６９０が嵌合される縦長の案内凹部４５９Ｌ、４５９Ｃ、４５９Ｒが、前記各挿通穴４５７に対応するように所定間隔おきに複数形成されているとともに、各差込部６９０の前記細溝６９１内に差し込まれる案内片４５１が、各案内凹部４５９Ｌ、４５９Ｃ、４５９Ｒを横切るように後壁５２ａの左右方向にわたって形成されている。
【０１４１】
案内片４５１は、図１７（ｂ）に示されるように、その先端が案内凹部４５９Ｌ、４５９Ｃ、４５９Ｒ周辺の後壁５２ａの内面よりも前方に突出するように形成されているため、各支持板６００Ｌ、６００Ｃ、６００Ｒをリール収容箱体５２の内部に挿入した際においては、まず始めに細溝６９１内に案内片４６１が差し込まれて各支持板６００Ｌ、６００Ｃ、６００Ｒの上下方向の位置決めがなされた後、差込部６９０が案内凹部４５９Ｌ、４５９Ｃ、４５９Ｒ内に嵌合されることにより各支持板６００Ｌ、６００Ｃ、６００Ｒの左右方向の位置決めがなされるようになっている。
【０１４２】
底壁５２ｃの上面には、各リール５１Ｌ、５１Ｃ、５１Ｒを組み付ける際において、各支持板６００Ｌ、６００Ｃ、６００Ｒを後方に向けて案内するとともに、組み付けられた状態における左右方向の位置ずれを規制する左右一対の前後方向に延びる案内規制片４６５Ｌ、４６５Ｃ、４６５Ｒ、４６６Ｌ、４６６Ｃ、４６６Ｒがそれぞれ案内凹部４５９Ｌ、４５９Ｃ、４５９Ｒに対応する位置に上向きに突設されている。
【０１４３】
これら案内規制片４６５Ｌ、４６５Ｃ、４６５Ｒ、４６６Ｌ、４６６Ｃ、４６６Ｒは、それぞれ前方に行くに従い幅方向の厚みが先細りになるように形成されていることで、案内規制片４６５Ｌ及び４６６Ｌ、４６５Ｃ及び４６６Ｃ、４６５Ｒ及び４６５Ｒの先端部間が後部間よりも広くなっているため、支持板６００Ｌ、６００Ｃ、６００Ｒを差し込みやすくなっている。また、詳しくは案内規制片４６５Ｌ、４６５Ｃ、４６５Ｒは底壁５２ｄの後端から前端まで延びるように形成され、案内規制片４６６Ｌ、４６６Ｃ、４６６Ｒは底壁５２ｄの後端から前端のやや後方位置まで延びるように形成されている。すなわち、案内規制片４６６Ｌ、４６６Ｃ、４６６Ｒは案内規制片４６５Ｌ、４６５Ｃ、４６５Ｒよりも短寸であり、両案内規制片の前端部の位置が前後方向にずれている。
【０１４４】
また、案内規制片４６５Ｌ及び４６６Ｌ、４６５Ｃ及び４６６Ｃ、４６５Ｒ及び４６５Ｒ間における後部には、前方から後方に向かうに従い高くなる乗上げ片４６７Ｌ、４６７Ｃ、４６７Ｒが突設されており、案内規制片４６５Ｌ及び４６６Ｌ、４６５Ｃ及び４６６Ｃ、４６５Ｒ及び４６５Ｒ間に挿入された支持板６００Ｌ、６００Ｃ、６００Ｒの後端が乗り上げてその後部が若干上昇されるようになっている。
【０１４５】
後壁５２ａの下方所定箇所には、案内凹部４５９Ｌ、４５９Ｃ、４５９Ｒよりも後方に膨出する当接部４６２が案内凹部４０９Ｌ及び４０９Ｃとを横切るように左右方向に形成されている。この当接部４６２の外面は、リール収容箱体５２を背板１５３に取り付けた際において背板１５３内面に当接する。
【０１４６】
後壁５２ａにおける各案内凹部４５９Ｌ、４５９Ｃ、４５９Ｒの上部から上壁５２ｂにかけて、上下方向を向く開口部４６３Ｌ、４６３Ｃ、４６３Ｒが形成されており、内部に組み付けられるリール５１Ｌ、５１Ｃ、５１Ｒや支持板６００Ｌ、６００Ｃ、６００Ｒの後部がリール収容箱体５２の外部から視認出来るようになっている。
【０１４７】
後壁５２ａの外面上部における左右両端側には、図１７（ｂ）及び図１８に示されるように、固定片取付部４６４ａ、４６４ｂがそれぞれ外方に膨出するように形成されている。この固定片取付部４６４ａ、４６４ｂの後面には、固定片４５２ａ、４５２ａ取付け用のネジ５７６ａ、５７６ｂ（図１３参照）が螺入されるネジ穴（図示略）が上下に形成されているとともに、これら上下のネジ穴（図示略）の間には、固定片４５２ａ、４５２ａの位置決め穴５７７ａに嵌合する位置決め凸部４５８ａ、４５８ｂ（図１８参照）が後向きに突設されている。
【０１４８】
これら左右の固定片取付部４５４ａ、４５４ｂの間には、前記リール中継基板５０３を固定するためのネジ５６８が螺入されるネジ孔が形成された複数の基板取付ボス４６７（図１７参照）が後向きに形成されている。また、案内凹部４５９Ｌ、４５９Ｃの後面には、係止片４５１の位置決め穴５７４が嵌合される位置決め用ボス４７１が後向きに突設されている。
【０１４９】
リール収容箱体５２の後壁５２ａと上壁５２ｂとのにおける開口部４６３Ｌの近傍及び開口部４６３Ｃ、４６３Ｒ間の２箇所には、外向きに開放する凹部４９６ａ、４９６ｂが形成されており、この凹部４９６ａ、４９６ｂには、前記リールランプ中継基板５０４を固定するための基板固定爪４９５ａ、４９５ｂを回動自在に支持するＬ字状の固定爪取付片４９７ａ、４９７ｂが取り付けられる。
【０１５０】
上壁５２ｂの前部所定箇所には、リール収容箱体５２の前面開口側から手を差し込むことが出来る把手部４７３が凹設されており、リール収容箱体５２を容易に持ち運び出来るようになっている。また、上壁５２ｂの上面における前記凹部４９６ａ、４９６ｂの前方には、上面に配置されるリールランプ中継基板５０４の下面を支持するリブ４７０がそれぞれ２本ずつ突設されている。
【０１５１】
また、各リール５１Ｌ、５１Ｃ、５１Ｒの後部との対向位置下方には、リールモータ５４Ｌ、５４Ｃ、５４Ｒからの熱を外部に放出するための放熱穴４６８が後壁５２ａから底壁５２ｃにかけてそれぞれ形成されている。また、後壁５２ａの左右側における上下方向略中央位置には、横長の放熱穴４６９がそれぞれ側壁５２ｄにかけて形成されている。
【０１５２】
このように、支持板６００Ｌ及び該支持板６００Ｌを組み付けるリール収容箱体５２がＡＢＳ樹脂材により軽量に構成されていることにより、リール５１Ｌ、５１Ｃ、５１Ｒの筐体２に対する着脱作業を容易に行うことが出来るとともに、リール５１Ｌ、５１Ｃ、５１Ｒが組み込まれたリール収容箱体５２の荷重が加わる係止片４５１や筐体２側のリールユニット係止片１７４が強固な金属材により形成されていることで耐久性が高められるため、リール収容箱体５２を確実に支持することが出来るばかりか、係脱により係止片４５１やリールユニット係止片１７４が破損してリール収容箱体５２が落下することがない。
【０１５３】
（２−１４）ラッチ
支持板６００Ｌをリール収容箱体５２に組み付けた状態で固定する固定手段の一例であるラッチ４３０の詳細な構造を図２３に基づいて説明すると、ラッチ４３０は、連結する部材それぞれに形成される孔部内に嵌合されるブッシュ４３１と、ブッシュ４３１内に進退自在に嵌合される操作ピン４３２と、から構成されている。ブッシュ４３１は、その周面に複数の切欠溝が形成されており、操作ピン４３２が内部に押し込まれて操作ピン４３２の先端に押圧されることにより外向きに広がるように弾性変形する複数の固定片４３３を有しているとともに、これら固定片４３３の基端側にはブッシュ４３１の抜け止め用のフランジ部４３４が形成されている。また、各固定片４３３の先端側内面には、操作ピン４３２の戻りを防止するための内向きの凸条４３５が環状に形成されている。
【０１５４】
操作ピン４３２は、ブッシュ４３１の貫通穴４３１ａ内に摺動自在に挿入されるピン部材４３２ａと、その端部側に取り付けられる操作部４３２ｂと、からなり、ピン部材４３２ａにおける操作部４３２ｂと反対側の先端部４３２ｃは若干拡径しており、貫通穴４３１ａ内からのピン部材４３２ａの逸脱が防止されている。
【０１５５】
（２−１５）リールの取付け
次に、このようにリール５１Ｌが回動自在に取り付けられた支持板６０６Ｌのリール収容箱体５２内への着脱時における作用を図１９及び図２０に基づいて説明する。
【０１５６】
リール５１Ｌが回動自在に取り付けられた支持板６００Ｌをリール収容箱体５２内に組み付けるには、まず、支持板６００Ｌをリール収容箱体５２に組み付ける前の段階で、図１９及び図２０（ａ）に示されるように、上下の固定片６００ａ、６００ｂの挿通穴６０２内それぞれにラッチ４３０を予め前側から取り付けておく。
【０１５７】
次いで、ラッチ４３０が取り付けられた支持板６００Ｌを、リール収容箱体５２の案内凹部４５９Ｌが形成された位置に合わせた状態で前面側から内部に向けて差し込む。このとき、図１９に示されるように、案内規制片４６５Ｌ、４６５Ｃ、４６５Ｒ、４６６Ｌ、４６６Ｃ、４６６Ｒは、それぞれ前端部に行くに従い幅方向の厚みが先細りになるように形成されていることで、案内規制片４６５Ｌ、４６６Ｌ間、４６５Ｃ、４６６Ｃ間、４６５Ｒ、４６５Ｒ間に形成される案内路部の幅寸法が、前端部に向かうに従い幅広になるように形成されているため、支持板６００Ｌ、６００Ｃ、６００Ｒを各案内規制片４６５Ｌ、４６６Ｌ間、４６５Ｃ、４６６Ｃ間、４６５Ｒ、４６５Ｒ間に容易に差し込むことが出来る。
【０１５８】
また、案内規制片４６６Ｌ、４６６Ｃ、４６６Ｒは案内規制片４６５Ｌ、４６５Ｃ、４６５Ｒよりも短寸であり、それぞれの案内路部の前端部は一方向側（図中向かって右側）に向けて開放されているため、図１９中２点鎖線で示されるように各リール５１Ｃ、５１Ｒを傾けて、リール５１Ｃ、５１Ｒの支持板６００Ｃ、６００Ｒの下端辺の後端をそれぞれに対応する案内規制片４６５Ｃ、４６５Ｒに当接させた状態で後方に向けて滑らすようにスライド移動させることで、案内規制片４６５Ｃ及び４６６Ｃ、４６５Ｒ及び４６５Ｒ間に案内されることになる。
【０１５９】
詳しくは、それぞれの案内路部の前端部は一方向側（図中向かって右側）に向けて開放されていることで、各リール５１Ｃ、５１Ｒを誘導路部の長手方向に対して傾斜させた状態で案内路部に差し込むことが出来るため、図１９に示されるように、先に設置したリール５１Ｌに干渉しないように案内路部に差し込み、スライド移動により設置位置まで押し込むことが出来る。よって、案内規制片４６５Ｃ及び４６６Ｃ、４６５Ｒ及び４６５Ｒ間への差し込みを容易に行うことが出来るばかりか、先に設置したリール５１Ｌと干渉してリールが損傷したりすることを効果的に回避出来る。
【０１６０】
すなわち、本実施例においては、案内規制片４６６Ｌ、４６６Ｃ、４６６Ｒが他方の案内規制片４６６Ｌ、４６６Ｃ、４６６Ｒよりも短寸であり、これら両案内規制片間に形成される案内路部の前端部は、前方及び短寸の案内規制片４６６Ｌ、４６６Ｃ、４６６Ｒ側に向けて開放されているため、図１９に示されるように、各リール５１Ｌ、５１Ｃ、５１Ｒは左側から配置していくことが好ましい。
【０１６１】
さらにリール５１Ｌを後方に押し込むと、支持板６００Ｌの後部が乗上げ片４６７Ｌに乗り上げて若干上昇するとともに、支持板６００Ｌの後端に形成された差込部６９０の細溝６９１内に、案内凹部４０９Ｌ付近に形成された案内片４５１の先端が差し込まれることにより、支持板６００Ｌの上下移動が規制されるとともに、さらに支持板６００Ｌを押し込むと、支持板６００Ｌの差し込み部４０８が案内凹部４５９Ｌ内に嵌合されることにより、支持板６００Ｌの後端下部の左右移動が規制されるとともに、図１９に示されるように、案内片６９２が開口部４６３Ｌ内に入り込んで支持板６００Ｌの後端上部の左右移動が規制されて位置決めがなされる。
【０１６２】
このように案内片４６１及び案内凹部４５９Ｌと、案内片６９２及び開口部４６３Ｌにより支持板６００Ｌの後端部の位置決めがなされることにより、コネクタ６８６がコネクタ５６５Ｌの前方に正確に位置し、コネクタ５６５Ｌに確実に接続されるように案内されることになる。すなわち、これら案内片４６１及び案内凹部４５９Ｌと案内片６９２及び開口部４６３Ｌとは、コネクタ６８６のコネクタ５６５Ｌへの接続を案内する案内手段を構成している。
【０１６３】
さらに支持板６００Ｌの後端が後壁５２ａの内面に当接するまで支持板６００Ｌを押し込むと、図２０（ｂ）に示されるようにコネクタ６８６がコネクタ５６５Ｌに接続される。このように、支持板６００Ｌをリール収容箱体５２内に組み付けるだけでコネクタ６８６とコネクタ５６５Ｌとが電気的に導通するように接続されるので、リールモータ５４Ｌやリールセンサ５６Ｌのコネクタ６８６をリール中継基板５０３のコネクタ５６５Ｌに接続する作業を支持板６００Ｌの組み付け後に行う必要がなくなるので、配線の接続作業が簡素化される。よって、リール５１Ｌの交換やメンテナンスの作業性が効果的に向上する。
【０１６４】
また、コネクタ６８６のコネクタ５６５Ｌへの接続を案内する案内手段として案内片４６１及び案内凹部４５９Ｌがリール収容箱体５２に形成されていることにより、コネクタ６８６とコネクタ５６５Ｌとの接続を、作業者が目視により接続状況を確認しながら行う必要がないので、コネクタ６８６のコネクタ５６５Ｌへの接続を容易になる。
【０１６５】
さらに、支持板６００Ｌの後端が後壁５２ａの内面に当接した状態において、上下の固定片６００ａ、６００ｂの後面とフランジ部４５６の前面とがそれぞれ当接するとともに、孔部６０２と挿通穴４５７とが合致するため、挿通穴６０２内に取り付けられたラッチ４３０のブッシュ４３１が挿通穴４５７内に嵌合される。
【０１６６】
この状態で、上下の固定片６００ａ、６００ｂから前方に突出している操作ピン４３２を後方に向けて強く押し込み、上下の固定片６００ａ、６００ｂを上下のフランジ部４５６にそれぞれ固定する。ここでラッチ４３０による作用を説明すると、図２１に示されるように、操作ピン４３２が後方に位置している状態から、図２１（ｃ）に示されるように操作ピン４３２を後方に向けて強く押し込むと、押し込まれたピン部材４３２ａの先端部４３２ｃにより各固定片４３３が外向きに押し広げられることにより、各固定片４３３の外周面が孔部６０２及び挿通穴４５７の内周面に押圧されるとともに、この状態において、操作ピン４３２の後退移動が、その先端部４３２ｃと凸条４３５との係止作用により規制されるため、上下の固定片６００ａ、６００ｂと上下のフランジ部４５６とが固定片４３３により互いに離間不能に連結される。
【０１６７】
このようにして全ての支持板６００Ｌ、６００Ｃ、６００Ｒをリール収容箱体５２内に組み付けた後、図２０（ａ）に示されるように、リールランプ中継基板５０４を、その下面に設けられた各コネクタ５６９Ｌが、リール収容箱体５２内から各開口部４６３Ｌ、４６３Ｃ、４６３Ｒを通して上方に臨む各コネクタ６８８に接続されるように下降させる。そして図２０（ｂ）に示されるように各コネクタ６６８、５６９Ｌが電気的に接続された後、それぞれの固定爪４９５ａ、４９５ｂを図１８中実線で示される位置まで回転させることで、リールランプ中継基板５０４が上壁５２ｂに固定されることになる。このようにリールランプ中継基板５０４とリールランプ５５Ｌａ〜５５Ｌｃとの接続も、リールランプ中継基板５０４を上壁５２ｂに取り付けるだけの簡単な作業で行うことが出来る。
【０１６８】
また、前述のようにリール間隠蔽部５３が支持板６００Ｌ、６００Ｃ、６００Ｒに予め一体成型されていることで、支持板６００Ｌ、６００Ｃ、６００Ｒに固設されるリールモータ５４Ｌ、５４Ｃ、５４Ｒに回動自在に設けられたリール５１Ｌ、５１Ｃ、５１Ｒとリール間隠蔽部５３との間に隙間が生じにくくなるとともに、全て同一構造とされた複数個のリール体（リール５１Ｌ、５１Ｃ、５１Ｒ及び支持板６００Ｌ、６００Ｃ、６００Ｒ）をリール収容体５２に並列配置するだけで、各リール５１Ｌ、５１Ｃ、５１Ｒ間の隙間が、一方の支持板のリール間隠蔽部５３により隠蔽されるため、製造コストの低減を図ることが出来るばかりか、配置作業に手間がかかることがない。
【０１６９】
また、支持板６００Ｌをリール収容箱体５２から取り外すには、まず、回転爪４９５ａ、４９５ｂを回転させてリールランプ中継基板５０４の固定を解除してリールランプ中継基板５０４を上昇させて上壁５２ｂから離脱させる。これにより各コネクタ６８８、５６９Ｌの接続が解除される。このように、リール収容箱体５２からの支持板６００Ｌの着脱作業時において着脱する必要があるリールランプ中継基板５０４は、工具等を用いることなく手作業で固定及び固定の解除を行える中継基板固定手段としての固定爪４９５ａ、４９５ｂにより上壁５２ｂに対して着脱自在に取付けられているため、リール収容箱体５２からの支持板６００Ｌの着脱作業及びリールランプ５５Ｌａ〜５５Ｌｃとリールランプ中継基板５０４との電気的接続及び接続解除を容易に行うことが出来る。
【０１７０】
次いで、各操作ピン３７７を手で手前側に引っ張るだけで上下の固定片６００ａ、６００ｂと上下のフランジ部４５６との連結が解除されるので、簡単に取り外すことが出来る。さらに、本実施例にて用いた固定手段としてのラッチ４３０にあっては、固定片６００ａ、６００ｂ側に取り付けられたブッシュ４３１に対して操作ピン４３２が逸脱しないように保持されたままとなるため、ネジ等のようにその都度取付部にねじ込んだり取付部から取り外す必要がないので、支持板６００Ｌの取り外しの際にパーツを紛失したりすることがないばかりか、操作性が極めて容易であるため、作業性が向上する。
【０１７１】
また、支持板６００Ｌをリール収容箱体５２から取り外すことにより、コネクタ５６５Ｌとコネクタ６８６との接続が解除されるため、支持板６００Ｌをリール収容箱体５２から取り外す前にリールモータ５４Ｌやリールセンサ５６Ｌとリール中継基板５０３との接続を手作業で解除する必要がないため、リール５１Ｌの着脱作業が容易になる。
【０１７２】
このように、支持板６００Ｌのリール収容箱体５２に対する着脱を、取付手段としてのラッチ４３０を用いて行うことで、着脱作業を工具等を用いることなく手作業のみで極めて容易に行うことが出来る。
【０１７３】
なお、このような固定手段は、上記のようなラッチ４３０のみに限定されるものではなく、リール収容箱体５２に対する支持板６００Ｌ、６００Ｃ、６００Ｒの固定及び固定の解除を、ドライバー等の工具等を用いることなく手作業で行えるものであれば、例えば蝶ネジ等種々の固定手段が適用可能である。
【０１７４】
また、リール間隠蔽部５３はリール５１Ｌ、５１Ｃ、５１Ｒの内周面側に配置されることで、各リールの幅寸法を広げることが出来るため、図柄の視認性が著しく向上するばかりか、リール体（リール５１Ｌ、５１Ｃ、５１Ｒ及び支持板６００Ｌ、６００Ｃ、６００Ｒ）の並列配置をリール間隠蔽部５３に干渉されることなく行うことが出来る。
【０１７５】
なお、本実施例においては、リール５１Ｌに関わる付帯装置の一部であるリールランプ５５Ｌａ〜５５Ｌｃのコネクタ６８８とリールランプ中継基板５０４のコネクタ５６９Ｌとの接続は、リールランプ中継基板５０４の上壁５２ｂへの着脱により行われるように構成されているが、例えばコネクタ６８８とコネクタ５６９Ｌとの接続が後壁５２ａ側で行われるようにリールランプ中継基板５０４を後壁５２ａに取り付けて、リールランプ５５Ｌａ〜５５Ｌｃのコネクタ６８８とリールランプ中継基板５０４のコネクタ５６９Ｌとの接続が、支持板６００Ｌをリール収容箱体５２への組み付けることにより行われるように構成してもよい。
【０１７６】
なお、他の支持板６００Ｃ、６００Ｒに関しても、上記支持板６００Ｌの着脱方法と同様の方法によってリール収容箱体５２に対して着脱自在に組み付けることが出来るため、詳細な説明は省略することとする。
【０１７７】
このようにリール収容体５２及びこのリール収容体５２に横並びに並列配置されたリール５１Ｌ、５１Ｃ、５１Ｒからなるリールユニット５０は、リールユニット係止片１７５に係止片４５１を係止させた状態で、固定片４５２ａ、４５２ｂをリールユニット取付片１７４の左右側に設けられた固定片１９１Ｌ、１９１Ｒ（図１０参照）にて固定することで、背板１５３の前面に取り付けられる。このように取り付けられた状態で、前面扉３が閉塞されると、各リール５１Ｌ、５１Ｃ、５１Ｒは、図２１（ａ）〜（ｃ）に示されるように、前面扉３の後面に取り付けられた遊技パネルユニット９５の中央に形成された開口を透して前方の遊技パネル６の透視窓１４に臨むことになる。
【０１７８】
この状態において、遊技パネルユニット９５におけるリール５１Ｒ側の開口端部には、図２１（ｃ）に示されるように、リール５１Ｒを回動自在に支持する支持板６００Ｒの前端部に形成されたリール間隠蔽部５３との干渉を避けるための切欠部９５ａが形成されているため、リール５１Ｒ及び支持板６００Ｒを前方には位置される遊技パネルユニット９５に極力近接して配置することが出来る。
【０１７９】
すなわち、遊技パネルユニット９５の前方に配置される遊技パネル６に近接して配置することが出来、これにより遊技パネル６とリール５１Ｌ、５１Ｃ、５１Ｒとの間隔が狭くなるので、透視窓１４からのリール５１Ｌ、５１Ｃ、５１Ｒの視認性が効果的に向上される。
【０１８０】
前記実施例における各要素は、本発明に対して以下のように対応している。
【０１８１】
本発明の請求項１は、１ゲームに対して賭数を設定することによりゲームが開始可能となるとともに、表示状態を変化させることが可能な可変表示装置（リールユニット５０）の表示結果が導出表示されることにより１ゲームが終了し、該可変表示装置の表示結果に応じて所定の入賞が発生可能なスロットマシン（１）であって、
前記可変表示装置は、複数種の識別情報が外周面に配置されたリール（５１Ｌ、５１Ｃ、５１Ｒ）と、
該リールの一側方に配置され、前記リールを回動自在とする駆動モータ（リールモータ５４Ｌ、５４Ｃ、５４Ｒ）が固設されるとともに、隣接配置されるリール間に形成される隙間を介して内部が見えないように隠蔽するリール間隠蔽部（５３）が一体成型された支持板（６００Ｌ、６００Ｃ、６００Ｒ）と、
前記リール及び前記支持板からなる複数のリール体（６００Ｌ、６００Ｃ、６００Ｒ／５１Ｌ、５１Ｃ、５１Ｒ）を並列配置するための設置体（リール収容箱体５２）と、から構成され、
前記設置体には、全て同一構造とされた複数個の前記リール体が並列配置されている。
【０１８２】
本発明の請求項２は、前記支持板（６００Ｌ、６００Ｃ、６００Ｒ）は、前記設置体への取付け及び該取付けの解除を工具等を用いることなく行うことが出来る取付手段（ラッチ４３０）により前記設置体（リール収容箱体５２）に取り付けられている。
【０１８３】
本発明の請求項３は、前記支持板（６００Ｌ、６００Ｃ、６００Ｒ）には、前記駆動モータ（リールモータ５４Ｌ、５４Ｃ、５４Ｒ）を含む付帯装置（リールセンサ５６Ｌ、５６Ｃ、５６Ｒ）が接続されている信号基板（リール信号基板６８７）が配設されているとともに、前記設置体（リール収容箱体５２）には、前記付帯装置を制御する制御手段が設けられた制御基板（遊技制御基板５００）と接続されている中継基板（リール中継基板５０３）が配設されており、前記リール体（６００Ｌ、６００Ｃ、６００Ｒ／５１Ｌ、５１Ｃ、５１Ｒ）を前記設置体に組み付けることで前記信号基板と前記中継基板とが接続されるようになっている。
【０１８４】
本発明の請求項４は、前記リール間隠蔽部（５３）は、前記リール（５１Ｌ、５１Ｃ、５１Ｒ）の内周面側に配置されている。
【０１８５】
本発明の請求項５は、前記リールを透視可能な透視窓（１４）が形成される遊技パネル（６）が取り付けられる遊技パネルユニット（９５）を備え、該遊技パネルユニットには、前記リール間隠蔽部（５３）との干渉を避けるための切欠部（９５ａ）が形成されている。
【０１８６】
以上、本発明の実施例を図面により説明してきたが、具体的な構成はこれら実施例に限られるものではなく、本発明の要旨を逸脱しない範囲における変更や追加があっても本発明に含まれる。
【０１８７】
例えば、上記実施例におけるリール収容体５２は、前面が開口する箱状に形成されていたが、リール５１Ｌ、５１Ｃ、５１Ｒ及び支持板６００Ｌ、６００Ｃ、６００Ｒからなるリール体を配列配置可能な設置体であれば、その形状は上記リール収容体５２等のような箱状に限定されるものではない。
【０１８８】
また、本発明請求項中に記載の「同一構造とされたリール体」とは、リール間隠蔽部が一体成型された支持板及び支持板に回動自在に設けられたリールからなるリール体の構造が同一であるということであり、各リール体の大きさや形状等が全て同一であるものに限定されるものではない。
【０１８９】
【発明の効果】
本発明は以下の効果を奏する。
【０１９０】
（ａ）請求項１項の発明によれば、リール間隠蔽部が支持板に予め一体成型されていることで、リール間隠蔽部を別部材により新たに設けなくて済むため、製造コストの低減化を図ることが出来るとともに、リール体は全て同一構造とされているため、複数のリール体を並設する場合でも製造コストが嵩むことがないばかりか、配置作業に手間がかかることがない。
【０１９１】
（ｂ）請求項２項の発明によれば、支持板の設置体への着脱作業を、工具等を用いることなく手作業で簡単に行うことが出来る。
【０１９２】
（ｃ）請求項３項の発明によれば、リール体を前記設置体に組み付けることで付帯装置と制御基板とが接続されるので、付帯装置と制御基板との配線作業が容易になるため、リール体の設置や交換作業等が容易になる。
【０１９３】
（ｄ）請求項４項の発明によれば、リール幅を広げることが出来るため、識別情報の視認性を向上させることが出来るばかりか、リール体の並列配置をリール間隠蔽部に干渉されることなく行うことが出来る。
【０１９４】
（ｅ）請求項５項の発明によれば、リールを遊技パネルに極力近接配置することが出来るため、透視窓からのリールの視認性が効果的に向上される。
【図面の簡単な説明】
【図１】本発明の適用されたスロットマシン１を斜め前方から見た斜視図である。
【図２】前面扉３を開放した状態のスロットマシン１を斜め前方から見た斜視図である。
【図３】前面扉３を開放した状態のスロットマシン１を斜め前方から見た斜視図である。
【図４】スロットマシン１の筐体２内を示す正面図である。
【図５】スロットマシン１の前面扉を示す背面図である。
【図６】スロットマシン１を示す背面図である。
【図７】スロットマシン１を示す右側面図である。
【図８】（ａ）はスロットマシン１を示す平面図であり、（ｂ）はスロットマシン１を示す底面図である。
【図９】（ａ）（ｂ）は筐体２と前面扉３との関わりを示す要部拡大平面図である。
【図１０】一部の部材が組み付けられた状態の筐体２を示す正面図である。
【図１１】筐体２に装着される各種装置と筐体２との関係を示す斜視図である。
【図１２】リールユニット５０を斜め前側からみた斜視図である。
【図１３】リール体を示す分解斜視図である。
【図１４】リール体を示す分解斜視図である。
【図１５】支持板を示す側面図である。
【図１６】（ａ）は図１５のＡ−Ａ断面図であり、（ｂ）（ｃ）は（ａ）の要部拡大図。
【図１７】（ａ）はリール収容箱体を示す正面図であり、（ｂ）は（ａ）のＡ−Ａ断面図である。
【図１８】リール収容箱体を斜め後方から見た斜視図である。
【図１９】リール体をリール収容箱体に組み付ける状態を示す概略図である。
【図２０】（ａ）は支持板をリール収容箱体内部に組み付ける状態を示す断面図であり、（ｂ）は支持板がリール収容箱体内部に組み付けられた状態の要部を示す断面図である。
【図２１】（ａ）〜（ｃ）はリールと遊技パネルとの関係を示す図である。
【図２２】（ａ）〜（ｃ）はラッチによる支持板の取付け工程及びその作用を示す断面図である。
【符号の説明】
１　　　　　　　　　　スロットマシン
２　　　　　　　　　　筐体
３　　　　　　　　　　前面扉
４　　　　　　　　　　施錠装置
４ａ　　　　　　　　　鍵穴
５　　　　　　　　　　上部パネル
６　　　　　　　　　　遊技パネル
７　　　　　　　　　　下部パネル
８　　　　　　　　　　操作部
９　　　　　　　　　　メダル払出穴
１０　　　　　　　　　メダル受皿
１１　　　　　　　　　演出用透視窓
１２Ｌ、１２Ｒ　　　　放音部
１３　　　　　　　　　灰皿
１４　　　　　　　　　透視窓
１５Ｌ、１５Ｒ　　　　運搬用凹部
１６〜２５　　　　　　演出用表示部
２７　　　　　　　　　リプレイ表示部
２８　　　　　　　　　スタート表示部
２９　　　　　　　　　ウェイト表示部
３０　　　　　　　　　投入指示表示部
３１　　　　　　　　　クレジット表示部
３２　　　　　　　　　ゲーム回数表示部
３３　　　　　　　　　ペイアウト表示部
３４　　　　　　　　　メダル投入部
３４ａ　　　　　　　　メダル投入口
３５　　　　　　　　　メダル詰まり解除ボタン
３６ａ　　　　　　　　１枚ＢＥＴボタン
３６ｂ　　　　　　　　ＭＡＸＢＥＴボタン
３７　　　　　　　　　精算ボタン
３８　　　　　　　　　スタートレバー
４０Ｌ、４０Ｃ、４０Ｒ　　ストップボタン
４１　　　　　　　　　遊技効果ＬＥＤ部
４２Ｌ、４２Ｒ　　　　遊技効果ＬＥＤ部
４６　　　　　　　　　１枚賭け表示部
４７　　　　　　　　　２枚賭け表示部
４８　　　　　　　　　３枚賭け表示部
５０　　　　　　　　　リールユニット
５１Ｌ、５１Ｃ、５１Ｒ　　ゲーム用リール
５２　　　　　　　　　リール収容箱体
５２ａ　　　　　　　　後壁
５２ｂ　　　　　　　　上壁
５２ｃ　　　　　　　　底壁
５２ｄ　　　　　　　　側壁
５３　　　　　　　　　リール間隠蔽部
５４Ｌ、５４Ｃ、５４Ｒ　　リールモータ
５５Ｌａ〜５５Ｌｃ　　リールランプ
５５Ｃａ〜５５Ｃｃ　　リールランプ
５５Ｒａ〜５５Ｒｃ　　リールランプ
５６Ｌ、５６Ｃ、５６Ｒ　　リールセンサ
５７　　　　　　　　　ホッパーユニット
５７ａ　　　　　　　　ホッパータンク
５９　　　　　　　　　オーバーフロータンク
６０ａ、６０ｂ　　　　フルセンサ
６１　　　　　　　　　払出しメダルセンサ
６２　　　　　　　　　ホッパーモータ
６３　　　　　　　　　メダル排出口
６５　　　　　　　　　電源ユニット
６６　　　　　　　　　メインスイッチ部
６７　　　　　　　　　設定／リセットボタン
６８　　　　　　　　　自動精算選択スイッチ部
６９　　　　　　　　　打止め選択スイッチ部
７０　　　　　　　　　設定キー挿入部
７１　　　　　　　　　メダルセレクタ
７２　　　　　　　　　メダル誘導樋
７３　　　　　　　　　メダル返却通路部材
７４　　　　　　　　　メダル合流口
７５　　　　　　　　　スピーカ取付用穴
９０　　　　　　　　　演出用ユニット
９１Ｌ、９１Ｃ、９１Ｒ　　演出用リール
９５　　　　　　　　　遊技パネルユニット
９５ａ　　　　　　　　切欠部
１００　　　　　　　　１枚ＢＥＴスイッチ
１０１　　　　　　　　ＭＡＸＢＥＴスイッチ
１０２　　　　　　　　スタートスイッチ
１０３Ｌ、１０３Ｃ、１０３Ｒ　　ストップスイッチ
１０４　　　　　　　　精算スイッチ
１０６ａ、１０６ｂ、１０６ｃ　　投入メダルセンサ
１０７　　　　　　　　流路切替ソレノイド
１０８　　　　　　　　ゲーム回数表示器
１０９　　　　　　　　クレジット表示器
１１０　　　　　　　　ペイアウト表示器
１１１　　　　　　　　１枚賭けＬＥＤ
１１２　　　　　　　　２枚賭けＬＥＤ
１１３　　　　　　　　３枚賭けＬＥＤ
１１４　　　　　　　　リプレイＬＥＤ
１１５　　　　　　　　スタートＬＥＤ
１１６　　　　　　　　ウェイトＬＥＤ
１１７　　　　　　　　投入指示ＬＥＤ
１２０　　　　　　　　設定値表示器
１２１　　　　　　　　ＭＡＸＢＥＴボタンＬＥＤ
１２２Ｌ、１２２Ｃ、１２２Ｒ　　操作有効ＬＥＤ
１２４　　　　　　　　冷陰極管用インバータ
１２５　　　　　　　　蛍光灯用インバータ
１２７Ｌ、１２７Ｃ、１２７Ｒ　　演出用リールセンサ
１２８Ｌ、１２８Ｃ、１２８Ｒ　　演出用リールＬＥＤ
１２９Ｌ、１２９Ｃ、１２９Ｒ　　演出用リールモータ
１３０　　　　　　　　遊技効果ＬＥＤ
１３１ａ〜１３１ｃ　　遊技効果ＬＥＤ
１３２ａ〜１３２ｃ　　遊技効果ＬＥＤ
１３６Ｌ、１３６Ｒ　　高音スピーカ
１３７　　　　　　　　低音スピーカ
１３８ａ〜１３８ｃ　　冷陰極管
１３９　　　　　　　　蛍光灯
１４０〜１４９　　　　演出用ランプ
１５０　　　　　　　　天板
１５０ａ　　　　　　　前端面
１５１Ｌ　　　　　　　左側板
１５１Ｒ　　　　　　　右側板
１５２　　　　　　　　底板
１５２ａ　　　　　　　前端面
１５３　　　　　　　　背板
１５４　　　　　　　　基板取付用開口
１５４ａ　　　　　　　膨出部
１５５　　　　　　　　放熱穴
１５６　　　　　　　　自動循環補給装置接続開口
１５７　　　　　　　　外部接続配線通し穴
１５８　　　　　　　　電源ユニット用放熱開口
１５８ａ　　　　　　　膨出部
１５９　　　　　　　　スピーカ用開口
１６１　　　　　　　　エンプティセンサ配線通し穴
１６２Ｌ、１６２Ｒ　　運搬用開口
１６３Ｌ、１６３Ｒ　　収容溝
１６４　　　　　　　　上部放熱穴
１６５　　　　　　　　メダル回収開口
１６６　　　　　　　　切欠凹部
１６７　　　　　　　　切欠凹部
１６８　　　　　　　　切欠凹部
１７０　　　　　　　　上部枠板
１７１　　　　　　　　左側部枠板
１７２　　　　　　　　右側部枠板
１７３　　　　　　　　底部枠板
１７４　　　　　　　　リールユニット取付片
１７５　　　　　　　　リールユニット係止片
１８４Ｈ、１８４Ｌ　　枢軸
１８５Ｈ、１８５Ｌ　　係合突片
１８６　　　　　　　　載置片
２０１ａ、２０１ｂ　　ホッパーユニット係合レール
２１０　　　　　　　　電源ユニット押さえ金具
２１１Ｌ、２１１Ｒ　　取手部材
２１２　　　　　　　　接続開口閉塞部材
２１６　　　　　　　　スピーカ保護網
２７０　　　　　　　　メダル受皿取付用ネジ穴
２７１　　　　　　　　補強用鉄板取付用ネジ穴
３１５　　　　　　　　外部出力基板取付部材
３５０　　　　　　　　遊技制御基板ボックス
３５１　　　　　　　　基板取付部材
４３０　　　　　　　　ラッチ
４３１　　　　　　　　ブッシュ
４３１ａ　　　　　　　貫通穴
４３２　　　　　　　　操作ピン
４３２ａ　　　　　　　ピン部材
４３２ｂ　　　　　　　操作部
４３２ｃ　　　　　　　先端部
４３３　　　　　　　　固定片
４３４　　　　　　　　フランジ部
４３５　　　　　　　　凸条
４５１　　　　　　　　係止片
４５２ａ、４５２ｂ　　固定片
４５６　　　　　　　　フランジ部
４５７　　　　　　　　挿通穴
４５８ａ、４５８ｂ　　位置決め凸部
４５９Ｌ、４０９Ｃ、４０９Ｒ　案内凹部
４６０ａ、４６０ｂ　　位置決め凸部
４６１　　　　　　　　案内片
４６２　　　　　　　　当接部
４６３Ｌ、４６３Ｃ、４６３Ｒ　開口部
４６４ａ、４６４ｂ　　固定片取付部
４６５Ｌ、４６５Ｃ、４６５Ｒ　案内規制片
４６６Ｌ、４６６Ｃ、４６６Ｒ　案内規制片
４６７Ｌ、４６７Ｃ、４６７Ｒ　乗上げ片
４６８、４６９　　　　放熱穴
４７０　　　　　　　　リブ
４７１　　　　　　　　位置決め用ボス
４７３　　　　　　　　把手部
４７５ａ　　　　　　　円板部
４７５ｂ　　　　　　　環状片
４７６　　　　　　　　切欠部
４７９　　　　　　　　位置決めピン
４８０　　　　　　　　位置決め孔
４８１　　　　　　　　ボス
４８２　　　　　　　　嵌合孔
４８３　　　　　　　　位置決めピン
４８４　　　　　　　　位置決め孔
４８５　　　　　　　　嵌合孔
４８６　　　　　　　　ボス
４９５ａ、４９５ｂ　　基板固定爪
４９６　　　　　　　　凹部
４９７ａ、４９７ｂ　　固定爪取付片
５００　　　　　　　　遊技制御基板
５０１　　　　　　　　演出制御基板
５０２　　　　　　　　電源基板
５０３　　　　　　　　リール中継基板
５０４　　　　　　　　リールランプ中継基板
５０５　　　　　　　　外部出力基板
５０６　　　　　　　　ドアベース中継基板
５０７　　　　　　　　操作部中継基板
５０８　　　　　　　　演出用ランプ中継基板
５０９　　　　　　　　演出用中継基板
５４１、５４２　　　　演出用ランプ基板
５４３　　　　　　　　表示基板
５６５Ｌ、５６５Ｃ、５６５Ｒ　コネクタ
５６６　　　　　　　　コネクタ
５６７　　　　　　　　ネジ穴
５６８　　　　　　　　ネジ
５６９Ｌ、５６９Ｃ、５６９Ｒ　コネクタ
５７０　　　　　　　　コネクタ
５７１ａ、５７１ｂ　　切欠部
５７２　　　　　　　　ネジ穴
５７３　　　　　　　　ネジ
５７４　　　　　　　　位置決め穴
５７５ａ、５７５ｂ　　ネジ穴
５７６ａ、５７６ｂ　　ネジ
５７７ａ、５７７ｂ　　位置決め穴
５７８ａ、５７８ｂ　　ネジ穴
５７９ａ、５７９ｂ　　位置決め穴
５８０ａ、５８０ｂ　　ネジ
５８１ａ、５８１ｂ　　ネジ
５８２ａ、５８２ｂ　　ネジ穴
６００Ｌ、６００Ｃ、６００Ｒ　支持板
６００ａ、６００ｂ　　取付片
６００ｃ　　　　　　　内面
６０１　　　　　　　　ランプユニット
６０２　　　　　　　　孔部
６０３　　　　　　　　ネジ
６０４　　　　　　　　回転軸
６０５　　　　　　　　取付板
６０６　　　　　　　　凸部
６０７　　　　　　　　枠条
６０８　　　　　　　　挿通孔
６０９　　　　　　　　穴部
６１０　　　　　　　　回転板
６１０ａ　　　　　　　円板部
６１０ｂ　　　　　　　環状片
６１３　　　　　　　　モータ取付部
６１４　　　　　　　　固定ネジ
６１５　　　　　　　　ネジ孔
６１６ａ、６１６ｂ　　位置決めピン
６１７　　　　　　　　切欠部
６３０ａ、６３０ｂ　　挿通長穴
６４０　　　　　　　　本体部
６４１　　　　　　　　台座
６４２　　　　　　　　ネジ孔
６４７ａ、６４７ｂ　　開口
６４８　　　　　　　　挿通孔
６５０　　　　　　　　本体部
６５１、６５２　　　　脚片
６５１ａ、６５２ａ　　係止爪
６５３　　　　　　　　大径穴
６５４　　　　　　　　小径穴
６５５　　　　　　　　リールシート
６５６、６５７　　　　保持枠
６５８　　　　　　　　環状片
６５９　　　　　　　　固定板
６６０　　　　　　　　スポーク片
６６１　　　　　　　　嵌合穴
６６２　　　　　　　　挿通孔
６６５　　　　　　　　挿通孔
６７２ａ〜６７２ｃ　　区画室
６７３　　　　　　　　リールランプ基板
６７４ａ〜６７４ｃ　　長穴
６８０　　　　　　　　開口部
６８６　　　　　　　　コネクタ
６８７　　　　　　　　リール信号基板
６８８　　　　　　　　コネクタ
６８９　　　　　　　　リールランプ信号基板
６９０　　　　　　　　差込部
６９１　　　　　　　　細溝
６９２　　　　　　　　案内片
Ｌ１、Ｌ２、Ｌ２’、Ｌ３、Ｌ３’　入賞ライン
【図１】
2004135710.tif 000003
【図２】
2004135710.tif 000004
【図３】
2004135710.tif 000005
【図４】
2004135710.tif 000006
【図５】
2004135710.tif 000007
【図６】
2004135710.tif 000008
【図７】
2004135710.tif 000009
【図８】
2004135710.tif 000010
【図９】
2004135710.tif 000011
【図１０】
2004135710.tif 000012
【図１１】
2004135710.tif 000013
【図１２】
2004135710.tif 000014
【図１３】
2004135710.tif 000015
【図１４】
2004135710.tif 000016
【図１５】
2004135710.tif 000017
【図１６】
2004135710.tif 000018
【図１７】
2004135710.tif 000019
【図１８】
2004135710.tif 000020
【図１９】
2004135710.tif 000021
【図２０】
2004135710.tif 000022
【図２１】
2004135710.tif 000023
【図２２】
2004135710.tif 000024